(57)【要約】 【課題】  簡易な操作で所定の動作モードに切換えることができ、利用者に対する利便性を向上することができる通信装置を提供する。【解決手段】  基本モードに適合するように、制御部２１によって音声出力部１７が制御されている状態で、キー入力部１４によって、マナーモードから基本モードへ切換えるときの時刻を表す時刻情報が入力され、続いて第２操作キー４３が長押しされると、入力された時刻情報がデータ用メモリ２５に記憶されてマナーモードに切換えられ、制御部２１によって音声出力部１７が制御される。マナーモードの状態で、データ用メモリ２５に記憶される時刻情報が表す時刻と計時部１８によって計時される時刻とが比較され、前記時刻情報が表す時刻と前記計時される時刻とが一致すると判断された場合は、マナーモードが解除されて、マナーモードから基本モードに切換えられる。【選択図】      図１
2005277466.tif 000002
【特許請求の範囲】
【請求項１】
他の通信装置と通信を行うための通信手段と、
時刻情報、および少なくとも予め定める第１の動作モードから第１の動作モードとは異なる予め定める第２の動作モードに切換えるためのモード切換情報を入力するための入力手段と、
入力手段によって入力される時刻情報を記憶する記憶手段と、
時刻を計時する計時手段と、
通信手段によって相手先からの着信要求を受信したときに発音可能な発音手段と、
予め定める第１の動作モード、および予め定める第２の動作モードにそれぞれ適合するように発音手段を制御可能であり、
第１の動作モードに適合するように発音手段を制御している状態で、入力手段によって時刻情報に続いてモード切換情報が入力されると、モード切換情報に基づいて第２の動作モードに適合するように発音手段を制御するとともに、時刻情報を記憶するように記憶手段を制御し、
第２の動作モードに適合するように発音手段を制御している状態で、記憶手段に記憶される時刻情報が表す時刻と、計時手段によって計時される時刻とを比較して、前記時刻情報が表す時刻と前記計時される時刻とが一致したとき、第１の動作モードに適合するように発音手段を制御する制御手段とを含むことを特徴とする通信装置。
【請求項２】
第２の動作モードでは、制御手段は、通信手段によって相手先からの着信要求を受信したとき、発音する音の音量を抑制するように発音手段を制御すること、および発音を停止するように発音手段を制御することのいずれか一方を行うことを特徴とする請求項１記載の通信装置。
【請求項３】
情報を表示する表示手段と、
通信装置本体を振動させるための振動を発生する振動発生手段とをさらに含み、
第２の動作モードでは、制御手段は、通信手段によって相手先からの着信要求を受信したとき、着信を表す着信情報を表示するように表示手段を制御すること、および振動を発生するように振動発生手段を制御することの少なくともいずれか一方を行うことを特徴とする請求項２記載の通信装置。
【請求項４】
第２の動作モードでは、制御手段は、通信手段によって相手先からの着信要求を受信したとき、着信に応答できない旨の情報を相手先に通知するように通信手段を制御することを特徴とする請求項２記載の通信装置。
【請求項５】
通信装置本体に電力を供給する電源手段と、
通信装置本体に電力を供給すること、および通信装置本体への電力の供給を停止することのいずれか一方を行うように電源手段を制御する電源制御手段とをさらに含み、
電源制御手段は、
通信装置本体に電力を供給するように電源手段を制御している状態で、入力手段によって通信装置本体に電力を供給する時刻を表す電力供給時刻情報に続いて、通信装置本体に電力を供給する電力供給モードから、通信装置本体への電力の供給を停止する電力供給停止モードに切換えるためのモード切換情報が入力されると、モード切換情報に基づいて通信装置本体への電力の供給を停止するように電源手段を制御するとともに、電力供給時刻情報を記憶するように記憶手段を制御し、
通信装置本体への電力の供給を停止するように電源手段を制御している状態で、記憶手段に記憶される電力供給時刻情報が表す時刻と、計時手段によって計時される時刻とを比較して、前記電力供給時刻情報が表す時刻と前記計時される時刻とが一致したとき、通信装置本体に電力を供給するように電源手段を制御することを特徴とする請求項１記載の通信装置。
【請求項６】
画像を撮像する撮像手段をさらに含み、
制御手段は、
入力手段によって、撮像手段によって画像を撮像する時刻を表す撮像時刻情報に続いて、撮像手段によって画像を撮像する撮像モードに切換えるためのモード切換情報が入力されると、撮像時刻情報を記憶するように記憶手段を制御し、
記憶手段に記憶される撮像時刻情報が表す時刻と、計時手段によって計時される時刻とを比較して、前記撮像時刻情報が表す時刻と前記計時される時刻とが一致したとき、画像を撮像するように撮像手段を制御するとともに、撮像手段によって撮像された画像を画像情報として記憶するように記憶手段を制御することを特徴とする請求項１記載の通信装置。
【請求項７】
音声を入力する音声入力手段をさらに含み、
制御手段は、
入力手段によって、音声入力手段によって音声を入力する時刻を表す音声入力時刻情報に続いて、音声入力手段によって音声を入力する音声入力モードに切換えるためのモード切換え情報が入力されると、音声入力時刻情報を記憶するように記憶手段を制御し、
記憶手段に記憶される音声入力時刻情報が表す時刻と、計時手段によって計時される時刻とを比較して、前記音声入力時刻情報が表す時刻と前記計時される時刻とが一致したとき、音声を入力するように音声入力手段を制御するとともに、音声入力手段によって入力された音声を音声情報として記憶するように記憶手段を制御することを特徴とする請求項１記載の通信装置。
【発明の詳細な説明】
【技術分野】
【０００１】
本発明は、たとえば携帯電話機のように、複数の動作モードの切換え操作を行うときに好適に用いられる通信装置に関する。
【背景技術】
【０００２】
携帯電話機などの通信装置は、場所を問わずに容易に持ち運ぶことができて便利であるが、使用者の都合に関係なく着信信号を受信するので、スピーカから出力される着信音によって周囲に迷惑を与えることがある。このような周囲への迷惑を考慮して、従来の技術の携帯電話機には、スピーカから着信音を出力させる代わりに振動および表示部の点灯などによって着信を通知する機能、いわゆるマナーモード機能が備えられている。
【０００３】
マナーモード機能を備える第１の従来の技術の携帯電話機は、時計機能を有し、着信音を鳴動させない時刻が設定されていない場合、または着信音を鳴動させない時刻が設定されていて、かつ設定時刻外の場合の着信時には、着信ＬＥＤ（Light Emitting Diode）を点灯するとともに着信音の鳴動を行い、キー入力によって着信音を鳴動させない時刻が設定されていてその設定開始時刻と設定解除時刻との間の着信時には、着信ＬＥＤを点灯し、着信音を鳴動させないように構成される（たとえば、特許文献１参照）。
【０００４】
第２の従来の技術の携帯電話機は、所定モードの設定時に設定される所定モードの設定解除までの時間を解除タイマに計時させ、解除タイマが設定解除までの時間を計時したときに、所定モードの設定を解除して着信音を出力することができ、所定モードの設定中における着信時に設定解除までの残り時間を算出し、その算出した残り時間および所定モードの設定中であることを音声で発信先に通知するように構成される（たとえば、特許文献２参照）。
【０００５】
第３の従来の技術のマナーモード設定システムは、操作者の操作に基づいて、マナーモード設定時刻とマナーモード解除時刻とが設定可能に構成され、マナーモード解除中にマナーモード設定時刻になった場合は、マナーモードの設定を行い、マナーモード設定中にマナーモード解除時刻になった場合は、マナーモードの解除を行うように構成される（たとえば、特許文献３参照）。
【０００６】
【特許文献１】特開平９−１１６６０１号公報
【特許文献２】特開２０００−２０９３１０号公報
【特許文献３】特開２００１−１２７８３８号公報
【発明の開示】
【発明が解決しようとする課題】
【０００７】
第１の従来の技術では、着信音無しの時刻情報をどのような操作に基づいて設定するかについては、述べられていない。第２の従来の技術では、マナーモード解除を自動的に行うためのマナーモード解除時間をどのような操作に基づいて設定するかについては、述べられていない。第３の従来の技術では、マナーモード設定時刻とマナーモード解除時刻とをどのような操作に基づいて設定するかについては、述べられていない。たとえば、メニュー画面の所定の項目を選択して、マナーモードの開始および解除時刻などの時刻情報を入力して設定することが考えられるが、使用者にとって操作が煩雑になるという問題がある。
【０００８】
本発明の目的は、簡易な操作で所定の動作モードに切換えることができ、利用者に対する利便性を向上することができる通信装置を提供することである。
【課題を解決するための手段】
【０００９】
本発明は、他の通信装置と通信を行うための通信手段と、
時刻情報、および少なくとも予め定める第１の動作モードから第１の動作モードとは異なる予め定める第２の動作モードに切換えるためのモード切換情報を入力するための入力手段と、
入力手段によって入力される時刻情報を記憶する記憶手段と、
時刻を計時する計時手段と、
通信手段によって相手先からの着信要求を受信したときに発音可能な発音手段と、
予め定める第１の動作モード、および予め定める第２の動作モードにそれぞれ適合するように発音手段を制御可能であり、
第１の動作モードに適合するように発音手段を制御している状態で、入力手段によって時刻情報に続いてモード切換情報が入力されると、モード切換情報に基づいて第２の動作モードに適合するように発音手段を制御するとともに、時刻情報を記憶するように記憶手段を制御し、
第２の動作モードに適合するように発音手段を制御している状態で、記憶手段に記憶される時刻情報が表す時刻と、計時手段によって計時される時刻とを比較して、前記時刻情報が表す時刻と前記計時される時刻とが一致したとき、第１の動作モードに適合するように発音手段を制御する制御手段とを含むことを特徴とする通信装置である。
【００１０】
また本発明は、第２の動作モードでは、制御手段は、通信手段によって相手先からの着信要求を受信したとき、発音する音の音量を抑制するように発音手段を制御すること、および発音を停止するように発音手段を制御することのいずれか一方を行うことを特徴とする。
【００１１】
また本発明は、情報を表示する表示手段と、
通信装置本体を振動させるための振動を発生する振動発生手段とをさらに含み、
第２の動作モードでは、制御手段は、通信手段によって相手先からの着信要求を受信したとき、着信を表す着信情報を表示するように表示手段を制御すること、および振動を発生するように振動発生手段を制御することの少なくともいずれか一方を行うことを特徴とする。
【００１２】
また本発明は、第２の動作モードでは、制御手段は、通信手段によって相手先からの着信要求を受信したとき、着信に応答できない旨の情報を相手先に通知するように通信手段を制御することを特徴とする。
【００１３】
また本発明は、通信装置本体に電力を供給する電源手段と、
通信装置本体に電力を供給すること、および通信装置本体への電力の供給を停止することのいずれか一方を行うように電源手段を制御する電源制御手段とをさらに含み、
電源制御手段は、
通信装置本体に電力を供給するように電源手段を制御している状態で、入力手段によって通信装置本体に電力を供給する時刻を表す電力供給時刻情報に続いて、通信装置本体に電力を供給する電力供給モードから、通信装置本体への電力の供給を停止する電力供給停止モードに切換えるためのモード切換情報が入力されると、モード切換情報に基づいて通信装置本体への電力の供給を停止するように電源手段を制御するとともに、電力供給時刻情報を記憶するように記憶手段を制御し、
通信装置本体への電力の供給を停止するように電源手段を制御している状態で、記憶手段に記憶される電力供給時刻情報が表す時刻と、計時手段によって計時される時刻とを比較して、前記電力供給時刻情報が表す時刻と前記計時される時刻とが一致したとき、通信装置本体に電力を供給するように電源手段を制御することを特徴とする。
【００１４】
また本発明は、画像を撮像する撮像手段をさらに含み、
制御手段は、
入力手段によって、撮像手段によって画像を撮像する時刻を表す撮像時刻情報に続いて、撮像手段によって画像を撮像する撮像モードに切換えるためのモード切換情報が入力されると、撮像時刻情報を記憶するように記憶手段を制御し、
記憶手段に記憶される撮像時刻情報が表す時刻と、計時手段によって計時される時刻とを比較して、前記撮像時刻情報が表す時刻と前記計時される時刻とが一致したとき、画像を撮像するように撮像手段を制御するとともに、撮像手段によって撮像された画像を画像情報として記憶するように記憶手段を制御することを特徴とする。
【００１５】
また本発明は、音声を入力する音声入力手段をさらに含み、
制御手段は、
入力手段によって、音声入力手段によって音声を入力する時刻を表す音声入力時刻情報に続いて、音声入力手段によって音声を入力する音声入力モードに切換えるためのモード切換え情報が入力されると、音声入力時刻情報を記憶するように記憶手段を制御し、
記憶手段に記憶される音声入力時刻情報が表す時刻と、計時手段によって計時される時刻とを比較して、前記音声入力時刻情報が表す時刻と前記計時される時刻とが一致したとき、音声を入力するように音声入力手段を制御するとともに、音声入力手段によって入力された音声を音声情報として記憶するように記憶手段を制御することを特徴とする。
【発明の効果】
【００１６】
本発明によれば、予め定める第１の動作モードに適合するように、たとえば通信手段によって相手先からの着信要求を受信したときに発音するように発音手段が制御されている状態で、入力手段によって時刻情報に続いてモード切換情報が入力されると、制御手段によって、モード切換情報に基づいて第２の動作モードに適合するように、たとえば通信手段によって相手先からの着信要求を受信したときに発音する音の音量を抑制するか、または発音しないように発音手段が制御されるとともに、時刻情報を記憶するように記憶手段が制御される。
【００１７】
制御手段によって、第２の動作モードに適合するように発音手段が制御されている状態で、記憶手段に記憶される時刻情報が表す時刻と計時手段によって計時される時刻とが比較され、前記時刻情報が表す時刻と前記計時される時刻とが一致すると判断された場合は、第１の動作モードに適合するように発音手段が制御される。
【００１８】
したがって、第１の動作モードに適合するように発音手段が制御されている状態で、使用者が、時刻情報に続いてモード切換情報を入力手段によって入力する簡易な操作を行うだけで、第２の動作モードに適合するように発音手段が制御される状態に切換えることができ、さらに入力手段に入力した時刻情報が表す時刻と計時手段によって計時される時刻とが一致したときに、第１の動作モードに適合するように発音手段が制御される状態に切換えることができる。これによって、使用者に対する利便性を向上することができる。
【００１９】
また、使用者が、時刻情報に続いてモード切換情報を入力手段によって入力するといった簡易な操作を行うだけで、入力手段に入力した時刻情報が表す時刻と計時手段によって計時される時刻とが一致したときに、第２の動作モードに適合するように発音手段が制御される状態から第１の動作モードに適合するように発音手段が制御される状態に切換えることができるので、使用者は所望する時刻に、第２の動作モードから第１の動作モードに切換える操作を行う必要がない。これによって、所望する時刻に第２の動作モードから第１の動作モードに切換える操作を行う煩わしさを解消することができる。
【００２０】
また本発明によれば、予め定める第１の動作モードに適合するように、たとえば通信手段によって相手先からの着信要求を受信したときに発音するように発音手段が制御されている状態で、入力手段によって時刻情報に続いてモード切換情報が入力されると、制御手段によって、モード切換情報に基づいて第２の動作モードに適合するように、たとえば通信手段によって相手先からの着信要求を受信したときに発音する音の音量を抑制するか、または発音しないように発音手段が制御されるとともに、着信を表す着信情報を表示するように表示手段を制御すること、および振動を発生するように振動発生手段を制御することの少なくともいずれか一方が行われ、時刻情報を記憶するように記憶手段が制御される。
【００２１】
制御手段によって、第２の動作モードに適合するように発音手段と、表示手段および振動発生手段の少なくともいずれか一方とが制御されている状態で、記憶手段に記憶される時刻情報が表す時刻と計時手段によって計時される時刻とが比較され、前記時刻情報が表す時刻と前記計時される時刻とが一致すると判断された場合は、第１の動作モードに適合するように発音手段が制御される。
【００２２】
したがって、第１の動作モードに適合するように発音手段が制御されている状態で、使用者が、時刻情報に続いてモード切換情報を入力手段によって入力する簡易な操作を行うだけで、第２の動作モードに適合するように発音手段と、表示手段および振動発生手段の少なくともいずれか一方とが制御される状態に切換えることができ、さらに入力手段に入力した時刻情報が表す時刻と計時手段によって計時される時刻とが一致したときに、第１の動作モードに適合するように発音手段が制御される状態に切換えることができる。これによって、使用者に対する利便性を向上することができる。
【００２３】
本発明によれば、予め定める第１の動作モードに適合するように、たとえば通信手段によって相手先からの着信要求を受信したときに発音するように発音手段が制御されている状態で、入力手段によって時刻情報に続いてモード切換情報が入力されると、制御手段によって、モード切換情報に基づいて第２の動作モードに適合するように、たとえば通信手段によって相手先からの着信要求を受信したとき、発音する音の音量を抑制するか、または発音しないように発音手段が制御されるとともに、着信に応答できない旨の情報を相手先に通知するように通信手段が制御され、時刻情報を記憶するように記憶手段が制御される。
【００２４】
制御手段によって、第２の動作モードに適合するように発音手段が制御されている状態で、記憶手段に記憶される時刻情報が表す時刻と計時手段によって計時される時刻とが比較され、前記時刻情報が表す時刻と前記計時される時刻とが一致すると判断された場合は、第１の動作モードに適合するように発音手段が制御される。
【００２５】
したがって、第１の動作モードに適合するように発音手段が制御されている状態で、使用者が、時刻情報に続いてモード切換情報を入力手段によって入力する簡易な操作を行うだけで、第２の動作モードに適合するように発音手段が制御されるとともに、着信に応答できない旨の情報を相手先に通知するように通信手段が制御される状態に切換えることができ、さらに入力手段に入力した時刻情報が表す時刻と計時手段によって計時される時刻とが一致したときに、第１の動作モードに適合するように発音手段が制御される状態に切換えることができる。これによって、使用者に対する利便性を向上することができる。
【００２６】
また本発明によれば、電源制御手段によって、通信装置本体に電力を供給するように電源手段が制御されている状態で、入力手段によって通信装置本体に電力を供給する時刻を表す電力供給時刻情報に続いて、通信装置本体に電力を供給する電力供給モードから、通信装置本体への電力の供給を停止する電力供給停止モードに切換えるためのモード切換情報が入力されると、制御手段によって、モード切換情報に基づいて通信装置本体への電力の供給を停止するように電源手段が制御されるとともに、電力供給時刻情報を記憶するように記憶手段が制御される。
【００２７】
電源制御手段によって、通信装置本体への電力の供給を停止するように電源手段が制御されている状態で、記憶手段に記憶される電力供給時刻情報が表す時刻と計時手段によって計時される時刻とが比較され、前記電力供給時刻情報が表す時刻と前記計時される時刻とが一致すると判断された場合は、通信装置本体に電力を供給するように電源手段が制御される。
【００２８】
したがって、通信装置本体に電力を供給するように電源手段が制御されている状態で、使用者が、電力供給時刻情報に続いてモード切換情報を入力手段によって入力する簡易な操作を行うだけで、通信装置本体への電力の供給を停止するように電源手段が制御される状態に切換えることができ、さらに入力手段に入力した電力供給時刻情報が表す時刻と計時手段によって計時される時刻とが一致したときに、通信装置本体に電力を供給するように電源手段が制御される状態に切換えることができる。これによって、使用者に対する利便性を向上することができる。
【００２９】
また、使用者が、電力供給時刻情報に続いてモード切換情報を入力手段によって入力する簡易な操作を行うだけで、入力手段に入力した電力供給時刻情報が表す時刻と計時手段によって計時される時刻とが一致したときに、通信装置本体に電力を供給するように電源手段が制御される状態に切換えることができるので、使用者は、所望する時刻に、電力供給停止モードから電力供給モードに切換える操作を行う必要がない。これによって、所望する時刻に電力供給停止モードから電力供給モードに切換える操作を行う煩わしさを解消することができる。
【００３０】
また本発明によれば、入力手段によって、撮像手段によって画像を撮像する時刻を表す撮像時刻情報に続いて、撮像手段によって画像を撮像する撮像モードに切換えるためのモード切換情報が入力されると、制御手段によって、撮像時刻情報を記憶するように記憶手段が制御される。制御手段によって、記憶手段に記憶される撮像時刻情報が表す時刻と、計時手段によって計時される時刻とが比較され、前記撮像時刻情報が表す時刻と前記計時される時刻とが一致すると判断された場合は、画像を撮像するように撮像手段が制御されるとともに、撮像手段によって撮像された画像を画像情報として記憶するように記憶手段が制御される。
【００３１】
したがって、使用者が、撮像時刻情報に続いてモード切換情報を入力手段によって入力する簡易な操作を行うだけで、入力手段に入力した撮像時刻情報が表す時刻と計時手段によって計時される時刻とが一致したときに、画像を撮像するように撮像手段が制御されるとともに、撮像手段によって撮像された画像を画像情報として記憶するように記憶手段が制御される状態に切換えることができる。これによって、使用者に対する利便性を向上することができる。
【００３２】
また本発明によれば、入力手段によって、音声入力手段によって音声を入力する時刻を表す音声入力時刻情報に続いて、音声入力手段によって音声を入力する音声入力モードに切換えるためのモード切換え情報が入力されると、制御手段によって、音声入力時刻情報を記憶するように記憶手段が制御される。制御手段によって、記憶手段に記憶される音声入力時刻情報が表す時刻と、計時手段によって計時される時刻とが比較され、前記音声入力時刻情報が表す時刻と前記計時される時刻とが一致すると判断された場合は、音声を入力するように音声入力手段が制御されるとともに、音声入力手段によって入力された音声を音声情報として記憶するように記憶手段が制御される。
【００３３】
したがって、使用者が、音声入力時刻情報に続いてモード切換情報を入力手段によって入力する簡易な操作を行うだけで、入力手段に入力した音声入力時刻情報が表す時刻と計時手段によって計時される時刻とが一致したときに、音声を入力するように音声入力手段が制御されるとともに、音声入力手段によって入力された音声を音声情報として記憶するように記憶手段が制御される状態に切換えることができる。これによって、使用者に対する利便性を向上することができる。
【発明を実施するための最良の形態】
【００３４】
図１は、本発明の実施の一形態である通信装置１の構成を示すブロック図である。通信装置１は、たとえば画像を撮像する撮像手段を備え、無線電波を介して基地局と無線通信を行い、音声データだけでなく、文字データおよび画像データなどを送受信することができる、いわゆるカメラ付携帯電話機である。
【００３５】
通信装置１は、アンテナ１１、無線部１２、通信制御部１３、キー入力部１４、キー照明部１５、音声入力部１６、音声出力部１７、計時部１８、計時用メモリ１９、電源部２０、制御部２１、プログラム用メモリ２３、作業用メモリ２４、データ用メモリ２５、表示用メモリ２６、表示ドライバ部２７、表示部２８、発光部２９、照明部３０、撮像部３１、振動発生部３２、開閉検出部３３および録音部３４を含んで構成される。
【００３６】
アンテナ１１は、無線電波を介して基地局と無線通信を行うときに、音声データ、文字データおよび画像データなどを送受信する。アンテナ１１は、たとえば伸縮自在なロッドアンテナによって実現される。無線部１２は、受信時は、基地局からアンテナを介して受信した音声データ、文字データおよび画像データを復調し、送信時は、通信制御部１３から送られてくる音声データ、文字データおよび画像データなどを変調して増幅し、アンテナを介して基地局に送信する。
【００３７】
通信制御部１３は、無線部１２が復調した文字データおよび画像データなどの受信データを所定の通信プロトコルに基づいて制御部２１に送り、無線部１２が復調した音声データを後述する音声出力部１７に送る。無線部１２および通信制御部１３を介して受信した相手先からの文字データおよび画像データなどの受信データは、データ用メモリ２５に記憶される。また、通信制御部１３は、データ用メモリ２５に記憶される文字データおよび画像データなどの送信データ、および後述する音声入力部１６に入力される音声を音声データとして無線部１２に送る。
【００３８】
キー入力部１４は、数字情報、文字情報および通信装置１への指示などの所定の情報を入力するための複数の操作入力キーを有し、操作入力キーを操作することによって、後述する制御部２１に各操作入力キーに対応した指示信号を与える。キー入力部１４は、機能キー群１４ａおよび数字キー群１４ｂを含む。
【００３９】
機能キー群１４ａは、電源キーおよび終話キーとして用いられる第１操作キー４１およびシャッタキー、ならびにダイヤル発信、電子メールの送受信およびインターネット接続などの各アプリケーションを起動するときに操作されるアプリケーションキーを含む。第１操作キー４１は、通信装置１への電力の供給および停止の指示、ならびに電話通信の終了を表す終話の指示を入力するときに操作される。シャッタキーは、後述する撮像部３１で撮像されて生成される画像データをデータ用メモリ２５に記憶するための所定の指示を入力するときに操作される。アプリケーションキーは、たとえば撮像キー４２を含む。撮像キー４２は、たとえば後述する撮像部３１によって予め定める時刻に画像を撮像して、撮像した画像を画像データとしてデータ用メモリ２５、または不揮発性の記録媒体であるフラッシュメモリカードに記憶する自動撮像モードに設定するときに操作される。
【００４０】
数字キー群１４ｂは、数字データおよび文字データを入力するときに操作される数字キー、文字キー、記号キーおよびアプリケーションキーを含む。アプリケーションキーは、たとえばマナーモードキーとして用いられる第２操作キー４３、ドライブモードキーとして用いられる第３操作キー４４、ならびにブックマークキーおよび録音キーとして用いられる第４操作キー４５を含む。
【００４１】
第２操作キー４３は、たとえばマナーモードに設定するときに操作される。第３操作キー４４は、たとえばドライブモードに設定するときに操作される。第４操作キー４５は、ブックマークキーとして用いられる場合は、予めウェブサイトのＵＲＬ（Uniform
Resource Locator）を記憶するとき、および記憶されたＵＲＬに対応するウェブサイトに接続するときに操作される。また第４操作キー４５は、録音キーとして用いられる場合は、後述する録音部３４に入力される音声を音声データとして後述するデータ用メモリ２５、または不揮発性の記録媒体であるフラッシュメモリカードに記憶する自動録音モードに設定するときに操作される。前記フラッシュメモリカードは、たとえばＳＤ（Secure
Digital）メモリカード、コンパクトフラッシュ（登録商標）カードおよびスマートメディア（登録商標）カードによって実現される。前記自動撮像モード、マナーモード、ドライブモードおよび自動録音モードの詳細については、後述する。
【００４２】
キー照明部１５は、キー入力部１４の背面に設置され、キー入力部１４の背面から光を照射することによって明るさを補う、いわゆるバックライトとして機能する。キー照明部１５は、たとえば発光素子である発光ダイオード（Light Emitting Diode；略称：ＬＥＤ）によって実現される。キー照明部１５は、制御部２１から制御信号が与えられ、その制御信号に基づいて点灯および消灯などを行う。キー照明部１５からキー入力部１４に光を照射することによって、通信装置１の周囲が暗い場合でも、キー入力部１４の各キーを見易くすることができ、視認性が向上する。キー照明部１５のＬＥＤは、点灯してから予め定める時間が経過すると、制御部２１によって消灯される構成にしてもよいし、使用者によってＬＥＤを消灯するための所定の情報がキー入力部１４によって入力されるまで点灯する構成にしてもよい。
【００４３】
音声入力部１６は、たとえばマイクロフォンによって実現される。音声入力部１６には、たとえば通話時の送話音声を入力する。音声出力部１７は、たとえばスピーカによって実現される。音声出力部１７は、たとえば通話時の受話音声、および通信制御部１３から与えられる音声データに基づいて発音する。
【００４４】
計時部１８は、たとえばリアルタイムクロック（Real Time Clock；略称：ＲＴＣ）によって実現される。計時部１８は、制御部２１、プログラム用メモリおよびデータ用メモリの動作の基準となるシステムクロック、ならびに現在時刻などを含む計時情報を制御部２１に与える。通信装置本体に電力が供給されている間は、ＲＴＣには、電源部２０からの電力が供給されている。また、通信装置本体への電力の供給が停止されている間は、ＲＴＣには、内蔵の電池からの電力が供給されて動作するように構成されている。計時用メモリ１９には、後述する電力停止モード解除時刻を表す解除時刻情報が記憶される。解除時刻情報は、使用者によってキー入力部１４によって入力される。
【００４５】
電源部２０は、通信装置本体に対して電力を供給する。電源部２０は、たとえば交換可能に設けられる内部電源である。制御部２１は、電源制御部２２を含む。制御部２１は、中央演算処理装置（Central Processing Unit；略称：ＣＰＵ）を含み、後述するプログラム用メモリ２３に記憶される制御プログラムに基づいて、通信制御部１３、キー入力部１４、キー照明部１５、音声入力部１６、音声出力部１７、計時部１８、計時用メモリ１９、電源部２０、プログラム用メモリ２３、作業用メモリ２４、データ用メモリ２５、表示用メモリ２６、表示ドライバ部２７、表示部２８、発光部２９、照明部３０、撮像部３１、振動発生部３２、開閉検出部３３および録音部３４を制御する。また、制御部２１は、キー入力部１４によって入力される所定の情報に応答して通信装置１を構成する各部位に制御信号を与えて、その動作を制御する。電源制御部２２は、キー入力部１４によって入力される所定の指示情報に基づいて、通信装置本体に電力を供給するように、または通信装置本体への電力の供給を停止するように電源部２０を制御する。
【００４６】
プログラム用メモリ２３は、たとえばＥＥＰＲＯＭ（Electronically Erasable and
Programmable Read Only Memory）およびフラッシュメモリ（flash memory）などの書換え可能な不揮発性メモリによって実現される。プログラム用メモリ２３には、通信装置１を構成する各部位を制御するための制御プログラム、ならびに電子メールに関するアプリケーション、撮像部３１を用いた画像の撮像に関するアプリケーション、およびインターネットに関するアプリケーションなどを実行するためのアプリケーションプログラムが記憶される。
【００４７】
作業用メモリ２４は、たとえばＲＡＭ（Random Access Memory）などの揮発性メモリによって実現される。作業用メモリ２４には、作業中のデータが一時的に記憶される。作業用メモリ２４には、たとえば電子メールに関するアプリケーションを実行しているときの作成途中の電子メール文書データ、および画像の撮像に関するアプリケーションを実行しているときの撮像部３１から連続的に与えられる画像データが一時的に記憶される。
【００４８】
データ用メモリ２５は、たとえばフラッシュメモリ（flash memory）などの書換え可能な不揮発性メモリによって実現される。データ用メモリ２５には、シャッタキーが押下されたとき、作業用メモリ２４に記憶されている画像データのうち所定の画像データが記憶される。また、データ用メモリ２５には、無線部１２および通信制御部１３を介して受信した文字データおよび画像データなどの所定のデータが記憶される。また、データ用メモリ２５には、後述するマナーモード解除時刻、ドライブモード解除時刻、自動撮像開始時刻および自動録音開始時刻をそれぞれ表す時刻情報が記憶される。
【００４９】
表示用メモリ２６は、ＶＲＡＭ（Video Random Access Memory）によって実現される。表示用メモリ２６には、表示部２８に表示する表示内容を表すデータが一時的に記憶される。表示ドライバ部２７は、後述する表示部２８の駆動回路であって、表示用メモリ２６から与えられる画像データに基づいて、表示部２８の各画素電極に対して駆動電圧を印加する。これによって、表示部２８に所定の表示内容が表示される。
【００５０】
表示部２８は、たとえばカラー表示可能な半透過半反射型液晶表示素子によって実現され、文字ならびに静止画像および動画像などの画像を表示する。表示部２８には、たとえば撮像部によって撮像された画像を表示することができる。なお、表示部２８は、カラー表示または白黒表示可能な透過型液晶表示素子、反射型液晶表示素子、エレクトロルミネッセンス（Electro Luminescence；略称：ＥＬ）素子および白黒表示可能な半透過半反射型液晶表示素子のうちいずれか１つによって実現されてもよい。
【００５１】
発光部２９は、たとえば発光素子であるＬＥＤによって実現される。発光部２９は、相手先からの着信要求を受信したとき、制御部２１から与えられる所定の制御信号に基づいて発光する。本実施の形態では、１つのＬＥＤを設けて発光させる構成にしてもよいし、複数のＬＥＤを設けて発光させる構成にしてもよい。また、複数のＬＥＤを設ける場合、たとえば発光色が異なる複数のＬＥＤを設けて、予め定める通信相手毎に異なる発光色でＬＥＤを発光させるようにしてもよい。
【００５２】
照明部３０は、表示部２８の表示面の背面に設置され、表示面の背面から光を照射することによって明るさを補う、いわゆるバックライトとして機能する。照明部３０は、たとえば発光素子であるＬＥＤによって実現される。照明部３０には、制御部２１から制御信号が与えられ、点灯および消灯ならびに輝度調整などが行われる。照明部３０から表示部２８に光を照射することによって、通信装置１の周囲が暗い場合でも、表示部２８に表示される表示内容を見易くすることができ、視認性が向上する。照明部３０のＬＥＤは、点灯してから予め定める時間が経過すると、制御部２１によって消灯される構成にしてもよいし、使用者によってＬＥＤを消灯するための所定の情報がキー入力部１４によって入力されるまで点灯する構成にしてもよい。
【００５３】
撮像部３１は、撮像レンズと、電荷結合素子（Charge Coupled Device；略称：ＣＣＤ）イメージセンサ（以下、単に「ＣＣＤ」と表記する場合がある）およびＣＭＯＳ（
Complementary Metal-Oxide Semiconductor）イメージセンサなどの撮像素子と、カラーフィルタとを備える。撮像レンズは、被写体を撮像したとき、被写体の光像をＣＣＤ上に結像させる。ＣＣＤの受光面には、半球状のマイクロレンズを有する多数のフォトダイオードがマトリクス状に配置されている。また、ＣＣＤは、赤（Ｒ），緑（Ｇ），青（Ｂ）の３色のカラーフィルタを備えており、被写体で反射されて撮像レンズを介して入射した光は、カラーフィルタを通してＲ，Ｇ，Ｂの３色光にされる。撮像レンズを介してＣＣＤの受光面のマイクロレンズに結像された被写体像は、各フォトダイオードによってＲ，Ｇ，Ｂの３色光の入射光量に応じた量の信号電荷に変換されて蓄積される。各フォトダイオードに蓄積された信号電荷は、信号電荷に応じた電気信号（画像信号）として出力される。
【００５４】
撮像部３１は、ＣＣＤから出力されるＲＧＢの３色光にそれぞれ対応したアナログ信号である電気信号を増幅し、増幅された前記電気信号を、アナログ／デジタル（略称：Ａ／Ｄ）変換器によって、デジタル信号に変換して画像データを生成する。
【００５５】
また、撮像部３１は、生成された画像データに対して、ホワイトバランス補正およびガンマ補正などの信号処理を施した後、信号処理を施した画像データに対して、予め定める圧縮処理を施す。本実施の形態では、ＪＰＥＧ（Joint Photographic coding Experts
Group）形式の圧縮処理を施す。圧縮処理が施された画像データは、データ用メモリ２５に記憶される。ここで、画像データを圧縮するときには、予め定める圧縮率に従って圧縮されてもよいし、使用者によって選択されて入力される圧縮率に従って圧縮されてもよい。圧縮率を変えることによって、同一の画像サイズでもファイルの容量を変えることができる。
【００５６】
振動発生部３２は、制御部２１から与えられる所定の制御信号に基づいて振動を発生する。振動発生部３２は、たとえば回転軸に重錘を偏心させて取付けたモータによって実現される。振動発生部３２は、たとえば相手先からの着信要求を受信したときに、前記モータが回転することによって重錘が回転して、振動を発生する。
【００５７】
開閉検出部３３は、通信装置１の開閉状態、具体的には後述する第１筐体および第２筐体の折り畳み状態および展開状態を検出する。本実施の形態における展開状態とは、第１および第２筐体が相互に対向させた折り畳み状態で相互に対向する領域が外部に露出する状態であって、使用者が表示部２８を目視することができ、かつキー入力部１４を操作することができる状態である。
【００５８】
録音部３４は、マイクロフォンを含む。録音部３４は、制御部２１から与えられる所定の制御信号に基づいて、マイクロフォンによって通信装置１の周囲の音声を入力する。録音部３４のマイクロフォンによって入力された音声は、音声データとしてデータ用メモリ２５に記憶される。
【００５９】
本実施の形態において、通信手段は、アンテナ１１、無線部１２および通信制御部１３によって構成される。入力手段は、キー入力部１４および制御部２１によって構成される。記憶手段は、計時用メモリ１９およびデータ用メモリ２５によって構成される。計時手段は、計時部１８によって構成される。発音手段は、音声出力部１７によって構成される。制御手段は、制御部２１およびプログラム用メモリ２３によって構成される。表示手段は、制御部２１、表示用メモリ２６、表示ドライバ部２７、表示部２８および発光部２９によって構成される。振動発生手段は、制御部２１および振動発生部３２によって構成される。電源手段は、電源部２０によって構成される。電源制御手段は、電源制御部２２によって構成される。撮像手段は、制御部２１、プログラム用メモリ２３および撮像部３１によって構成される。音声入力手段は、音声入力部１６および録音部３４によって構成される。
【００６０】
図２は、通信装置１の外観を示す正面図である。通信装置１は、比較的扁平な略直方体状の第１筐体２と第２筐体３とが、ヒンジ部４を介して角変位可能に連結されて構成される。すなわち、通信装置１は、第１筐体２と第２筐体３とを角変位させることによって折り畳み可能に構成される。なお、通信装置１の２つの筐体２，３の成す最大の角度は、第１および第２筐体２，３の形状ならびにヒンジ部４の種類などで決まり、本実施の形態では約１８０度になるように構成されている。
【００６１】
表示部２８は、２つの筐体２，３を折り畳んだときの内側に位置するように、第１筐体２に配置される。キー入力部１４は、２つの筐体２，３を折り畳んだときの内側に位置するように、第２筐体３に配置される。音声入力部１６は、第２筐体３の内部空間で、遊端部６の中央部に設けられる。音声出力部１７は、第１筐体２の内部空間で、遊端部５の中央部に設けられる。撮像部３１は、第１筐体２の遊端部５でかつ折り畳み状態で外部に露出する領域に、外部に臨んで設けられる。録音部３４のマイクロフォンは、第２筐体３の遊端部６でかつ折り畳み状態で外部に露出する領域に、外部に臨んで設けられる。本発明の実施の他の形態では、録音部３４のマイクロフォンは、音声入力部１６を兼用するようにしてもよい。
【００６２】
シャッタキーは、第１筐体２の一側面部に設けられる。本発明の実施の他の形態では、シャッタキーは、第２筐体３の一側面部に設けられてもよいし、撮像キー４２を兼用するようにしてもよい。発光部２９は、第１筐体２の遊端部５に設けられ、撮像部３１よりも遊端部５寄りに設けられる。前述の位置に撮像部３１を設けることによって、折り畳み状態であっても、撮像部３１によって所望の画像を撮像することができる。
【００６３】
図３は、基本モードからマナーモードに切換えるときの表示部２８の表示画面に表示される表示情報の一例を示す図である。本実施の形態において、基本モードは、通信装置１の音声出力部１２から音声を発音するようにして、使用者に対して着信などを通知するようにするモードである。マナーモードは、通信装置１の音声出力部１７から発音される音声によって周囲に迷惑を与えないように、音声出力部１７から発音される音声の音量を抑制、または音声出力部１７による発音を停止するようにして、たとえば振動発生部３２による振動および発光部２９の発光によって、使用者に対して着信などを通知するようにするモードである。本実施の形態のマナーモードに関する説明において、基本モードは、第１の動作モードであり、マナーモードは第２の動作モードである。なお、第１の動作モードは、基本モードに限らず、本発明の他の実施の形態では、他の動作モードであってもよい。
【００６４】
基本モードからマナーモードへの切換えは、次のようにして行う。他の通信装置からの着信要求およびキー入力部１４からのキー入力指示のうちいずれか一方を待っている待機状態（以下、単に「待ち受け状態」と表記する場合がある）で、表示画面に待ち受け画像、本実施の形態では日時情報を表す画像が表示されている状態で、使用者によって第２操作キー４３が長押しされると、基本モードからマナーモードに切換えられ、表示画面にマナーモードに設定したことを示す内容のマナーモード設定情報が表示される。本実施の形態では、第２操作キー４３は、「＃」（シャープ）キーである。また、本実施の形態において、「長押し」とは、操作入力キーを１秒以上押下することを意味する。
【００６５】
表示画面にマナーモード設定情報が表示されてから、予め定める時間、本実施の形態では２秒が経過するか、または予め定める操作入力キー、本実施の形態では終話キーが押下されると、待ち受け状態に戻り、表示画面に待ち受け画像が表示されるとともに、マナーモードが設定されていることを示すピクト（以下、単に「マナーモードピクト」と表記する場合がある）が、予め定める状態表示領域、本実施の形態では表示画面の上部に表示される。
【００６６】
ここで、「ピクト」とは、通信装置１の状態を簡易的に示す記号および画像である。ピクトには、前記マナーモードピクト以外に、たとえば着信時に通信装置本体を振動させるバイブレータ機能が設定されていることを示す記号、予め録音された伝言があることを示す記号がある。
【００６７】
図４は、マナーモードから基本モードに切換えるときの表示部２８の表示画面に表示される表示情報の一例を示す図である。マナーモードから基本モードへの切換えは、次のようにして行う。待ち受け状態で、表示画面に待ち受け画像およびマナーモードピクトが表示されている状態で、使用者によって第２操作キー４３、本実施の形態では「＃」キーが長押しされると、マナーモードから基本モードに切換えられ、表示画面にマナーモードの設定を解除したことを示す内容のマナーモード解除情報が表示される。
【００６８】
表示画面にマナーモード解除情報が表示されてから、予め定める時間、本実施の形態では２秒が経過するか、または予め定める操作入力キー、本実施の形態では終話キーが押下されると、待ち受け状態に戻り、表示画面にはマナーモードピクトは表示されずに、待ち受け画像のみが表示される。
【００６９】
前述のように本実施の形態では、第２操作キー４３を長押しすることによって、基本モードからマナーモードへの切換え、およびマナーモードから基本モードへの切換えを行うことができる。本実施の形態では、マナーモードに設定されているときは、たとえばキー入力時の確認音、エラー時のエラー音、アラーム音、充電の開始音および充電の完了音、ならびに予め記憶されている楽曲は、音声出力部１７から発音しないようにする。また、マナーモードに設定されているとき、撮像部３１による画像の撮像は可能とし、シャッタ音は音声出力部１７から発音するようにする。また本実施の形態において、基本モードからマナーモードへの切換えは、待ち受け状態、通話中、着信中および発信中のいずれの場合でも行うことができるようにする。
【００７０】
図５は、基本モードからマナーモードへ切換えるとともに、マナーモードから基本モードへ切換える時刻を設定するときの表示部２８の表示画面に表示される表示情報の一例を示す図である。待ち受け状態で、表示画面に待ち受け画像が表示されているとき、使用者によってキー入力部１４の数字キー群１４ｂの数字キーが操作されて４桁の数字情報、たとえば「１２３４」が入力され、第２操作キー４３、本実施の形態では「＃」キーが長押しされると、マナーモードから基本モードへ切換わる時刻、つまりマナーモードの設定が解除される時刻（以下、単に「マナーモード解除時刻」と表記する場合がある）、本実施の形態では「１２時３４分」が入力されたと判断される。そして、基本モードからマナーモードへ切換えられ、表示画面にマナーモードに設定したことを示す内容のマナーモード設定情報とともに、マナーモード解除時刻を示す解除時刻情報が表示される。
【００７１】
表示画面にマナーモード設定情報および解除時刻情報が表示されてから、予め定める時間、本実施の形態では２秒が経過すると、待ち受け状態に戻り、表示画面に待ち受け画像が表示されるとともに、状態表示領域にマナーモードピクトが表示される。
【００７２】
本実施の形態では、マナーモード解除時刻が設定されている状態で、現在日時が変更されたときは、マナーモードから基本モードへの切換え設定は破棄する。換言すれば、マナーモード解除時刻が設定されている状態で、現在日時が変更されたときは、予め設定された解除時刻が到来してもマナーモードの解除を行わないようにする。また、本実施の形態では、予め設定された解除時刻が到来する前に、図４に示すように、第２操作キー４３を長押しする操作を行い、マナーモードから基本モードへの切換えを行うと、予め設定した解除時刻は消去される。
【００７３】
図６は、現在日時を設定していないときに、マナーモードから基本モードへ切換える時刻を設定するときの表示部２８の表示画面に表示される表示情報の一例を示す図である。初期設定において、現在日時を設定していない状態で、かつ待ち受け状態で、表示画面に待ち受け画像が表示されているとき、使用者によってキー入力部１４の数字キー群１４ｂの数字キーが操作されて４桁の数字情報が入力され、第２操作キー４３、本実施の形態では「＃」キーが長押しされると、表示画面に現在日時が設定されていないことを示す内容のエラー情報が表示される。表示画面にエラー情報が表示されてから予め定める時間、本実施の形態では２秒が経過すると、待ち受け状態に戻り、表示画面に待ち受け画像が表示される。
【００７４】
図７は、マナーモードから基本モードへ切換える時刻を誤入力したときの表示部２８の表示画面に表示される表示情報の一例を示す図である。待ち受け状態で、表示画面に待ち受け画像が表示されているとき、使用者によってキー入力部１４の数字キー群１４ｂの数字キーが操作されて、４桁以外の数字情報、たとえば「１２３４１１」が入力、または時刻として扱うことができない４桁の数字情報、たとえば「４３２１」が入力され、第２操作キー４３、本実施の形態では「＃」キーが長押しされると、表示画面に入力時刻が正しくないことを示す内容のエラー情報が表示される。表示画面にエラー情報が表示されてから予め定める時間、本実施の形態では２秒が経過すると、待ち受け状態に戻り、表示画面に待ち受け画像が表示される。
【００７５】
図８は、基本モードからマナーモードへの切換え設定およびマナーモードから基本モードへ切換える時刻の設定に関する制御部２１処理手順を示すフローチャートである。ステップａ１では、制御部２１は、表示部２８に予め定める待ち受け画像を表示させる。ステップａ２では、制御部２１は、数字情報が入力されたか否かを判断する。ステップａ２において、制御部２１が、数字情報が入力されたと判断したときは、ステップａ３に進み、制御部２１が、数字情報が入力されていないと判断したときは、数字情報が入力されるまで待機する。
【００７６】
ステップａ３では、制御部２１は、マナーモード設定キーとして用いられる第２操作キー４３、本実施の形態では「＃」キーが長押しされたか否かを判断する。ステップａ３において、制御部２１が、第２操作キー４３が長押しされたと判断したときは、ステップａ４に進み、制御部２１が、第２操作キー４３が長押しされていないと判断したときは、第２操作キー４３が長押しされるまで待機する。
【００７７】
ステップａ４では、制御部２１は、ステップａ２で入力された数字情報が時刻を表す時刻情報であるか否かを判断する。ステップａ４において、制御部２１が、入力された数字情報が時刻情報であると判断したときは、ステップａ５に進み、制御部２１が、入力された数字情報は時刻情報ではないと判断したときは、ステップａ８に進む。ステップａ２で入力された数字情報が時刻を表す時刻情報であるか否かの判断は、制御部２１が、入力された数字情報が４桁の数字情報で、かつ時刻として扱うことができる数字情報であるか否かを判断することによって行う。つまり、制御部２１が、入力された数字情報が４桁の数字情報で、かつ時刻として扱うことができる数字情報であると判断したときは、入力された数字情報が時刻情報であると判断し、入力された数字情報が４桁の数字情報で、かつ時刻として扱うことができる数字情報ではないと判断したときは、入力された数字情報が時刻情報ではないと判断する。
【００７８】
ステップａ５では、制御部２１は、基本モードからマナーモードへ切換えて、マナーモードに設定する。ステップａ６では、制御部２１は、ステップａ２で入力された数字情報に基づいて判断された時刻情報を、マナーモード解除時刻を表す時刻情報として設定する。具体的には、制御部２１は、前記マナーモード解除時刻を表す時刻情報をデータ用メモリ２５に記憶させる。ステップａ７では、制御部２１は、図５に示すように、表示部２８にマナーモードに設定したことを示す内容のマナーモード設定情報を表示させ、ステップａ９に進む。
【００７９】
ステップａ８では、制御部２１は、ステップａ２で入力された数字情報に応じて、図６および図７に示すようなエラー情報を表示部２８に表示させる。ステップａ９では、制御部２１は、表示部２８に予め定める待ち受け画像を表示させて、すべての処理手順を終了する。
【００８０】
図９は、マナーモードおよびマナーモード解除時刻が設定されているときに、マナーモードから基本モードへ切換える時刻を設定するときの表示部２８の表示画面に表示される表示情報の一例を示す図である。マナーモードに設定され、かつマナーモードの解除時刻が、たとえば１２時３４分に設定されている待ち受け状態で、表示画面に待ち受け画像が表示されているときに、使用者によってキー入力部１４の数字キー群１４ｂの数字キーが操作されて、新たに４桁の数字情報、たとえば「１５１５」が入力され、第２操作キー４３、本実施の形態では「＃」キーが長押しされると、マナーモードから基本モードへ切換わる時刻、つまりマナーモードの設定が解除される時刻が、本実施の形態では１２時３４分から１５時１５分に更新される。そして、表示画面にマナーモードに設定したことを示す内容のマナーモード設定情報とともに、更新されたマナーモードの解除時刻を示す解除時刻情報が表示される。
【００８１】
表示画面にマナーモード設定情報および解除時刻情報が表示されてから、予め定める時間、本実施の形態では２秒が経過すると、待ち受け状態に戻り、表示画面に待ち受け画像が表示されるとともに、状態表示領域にマナーモードピクトが表示される。
【００８２】
図１０は、マナーモードに設定されているとき、マナーモードから基本モードへ切換える時刻の設定に関する制御部２１処理手順を示すフローチャートである。ステップｂ１では、制御部２１は、表示部２８に予め定める待ち受け画像を表示させる。ステップｂ２では、制御部２１は、数字情報が入力されたか否かを判断する。ステップｂ２において、制御部２１が、数字情報が入力されたと判断したときは、ステップｂ３に進み、制御部２１が、数字情報が入力されていないと判断したときは、数字情報が入力されるまで待機する。
【００８３】
ステップｂ３では、制御部２１は、マナーモード設定キーとして用いられる第２操作キー４３、本実施の形態では「＃」キーが長押しされたか否かを判断する。ステップｂ３において、制御部２１が、第２操作キー４３が長押しされたと判断したときは、ステップｂ４に進み、制御部２１が、第２操作キー４３が長押しされていないと判断したときは、第２操作キー４３が長押しされるまで待機する。
【００８４】
ステップｂ４では、制御部２１は、ステップｂ２で入力された数字情報が時刻を表す時刻情報であるか否かを判断する。ステップｂ４において、制御部２１が、入力された数字情報が時刻情報であると判断したときは、ステップｂ５に進み、制御部２１が、入力された数字情報は時刻情報ではないと判断したときは、ステップｂ７に進む。ステップｂ２で入力された数字情報が時刻を表す時刻情報であるか否かの判断は、制御部２１が、入力された数字情報が４桁の数字情報で、かつ時刻として扱うことができる数字情報であるか否かを判断することによって行う。つまり、制御部２１が、入力された数字情報が４桁の数字情報で、かつ時刻として扱うことができる数字情報であると判断したときは、入力された数字情報が時刻情報であると判断し、入力された数字情報が４桁の数字情報で、かつ時刻として扱うことができる数字情報ではないと判断したときは、入力された数字情報が時刻情報ではないと判断する。
【００８５】
ステップｂ５では、制御部２１は、ステップｂ２で入力された数字情報に基づいて判断された時刻情報を、マナーモード解除時刻を表す時刻情報として更新して設定する。具体的には、制御部２１は、予めマナーモード解除時刻を表す時刻情報が記憶されているデータ用メモリ２５に、ステップｂ２で入力されたマナーモード解除時刻を表す時刻情報を記憶させて、マナーモード解除時刻を表す時刻情報を更新する。
【００８６】
ステップｂ６では、制御部２１は、図９に示すように、表示部２８に、マナーモードに設定したことを示す内容のマナーモード設定情報とともに、更新されたマナーモードの解除時刻を示す解除時刻情報を表示させ、ステップｂ８に進む。ステップｂ７では、制御部２１は、ステップｂ２で入力された数字情報に応じて、図６および図７に示すようなエラー情報を表示部２８に表示させる。ステップｂ８では、制御部２１は、表示部２８に予め定める待ち受け画像を表示させて、すべての処理手順を終了する。
【００８７】
図１１は、アプリケーションプログラムが実行されていない状態で、予め設定した解除時刻が到来したときにマナーモードから基本モードに切換えられるときの表示部２８の表示画面に表示される表示情報の一例を示す図である。マナーモードに設定され、かつマナーモードの解除時刻が、たとえば１２時３４分に設定されている待ち受け状態で、アプリケーションプログラムが実行されていないときに、マナーモードの解除時刻が到来すると、マナーモードから基本モードに切換えられ、表示画面にマナーモードの設定を解除したことを示す内容のマナーモード解除情報が表示される。表示画面にマナーモード解除情報が表示されてから、予め定める時間、本実施の形態では２秒が経過すると、待ち受け状態に戻り、表示画面に待ち受け画像が表示される。
【００８８】
図１２は、アプリケーションプログラムが実行されている状態で、予め設定した解除時刻が到来したときにマナーモードから基本モードに切換えられるときの表示部２８の表示画面に表示される表示情報の一例を示す図である。アプリケーションプログラムが実行されているときに、マナーモードの解除時刻が到来したときは、本実施の形態では、アプリケーションプログラムの実行時の作業を優先するようにしている。したがって、アプリケーションプログラムの実行時にマナーモードの解除時刻が到来しても、表示部２８の表示画面に変化はなく、表示画面には作業中の情報が表示される。このアプリケーションプログラムが終了されると、待ち受け状態に戻り、マナーモードから基本モードに切換えられ、表示画面にマナーモードの設定を解除したことを示す内容のマナーモード解除情報が表示される。表示画面にマナーモード解除情報が表示されてから、予め定める時間、本実施の形態では２秒が経過すると、待ち受け状態に戻り、表示画面に待ち受け画像が表示される。
【００８９】
図１３は、通信装置本体への電力の供給が停止されている状態で、予め設定した解除時刻が到来したときにマナーモードから基本モードに切換えられるときの表示部２８の表示画面に表示される表示情報の一例を示す図である。待ち受け状態で、表示画面に待ち受け画像が表示されているときに、使用者によってキー入力部１４の電源キーが操作されると、通信装置本体への電力の供給が停止され、表示画面に何も表示されない状態になる。このような通信装置本体への電力の供給を停止しているときにマナーモードの解除時刻が到来しても、通信装置本体への電力の供給は停止されたままである。
【００９０】
通信装置本体への電力の供給を停止している状態で、使用者によって再度、キー入力部１４の電源キーが操作されると、通信装置本体に電力が供給されるとともに、マナーモードの解除時刻が到来したか否かが判断され、マナーモードの解除時刻が到来したと判断されたとき、マナーモードから基本モードに切換えられ、表示画面にマナーモードの設定を解除したことを示す内容のマナーモード解除情報が表示される。表示画面にマナーモード解除情報が表示されてから、予め定める時間、本実施の形態では２秒が経過すると、待ち受け状態に戻り、表示画面に待ち受け画像が表示される。
【００９１】
図１４は、マナーモードから基本モードに切換えるときの制御部２１の処理手順を示すフローチャートである。ステップｃ１では、制御部２１は、表示部２８に予め定める待ち受け画像を表示させる。ステップｃ２では、制御部２１は、予め設定したマナーモード解除時刻が到来したか否かを判断する。ステップｃ２において、制御部２１が、予め設定したマナーモード解除時刻が到来したと判断したときは、ステップｃ３に進み、制御部２１が、予め設定したマナーモード解除時刻が到来していないと判断したときは、マナーモード解除時刻が到来するまで待機する。
【００９２】
予め設定したマナーモード解除時刻が到来したか否かの判断は、制御部２１が、計時部１８によって計時される時刻と、データ用メモリ２５に記憶されるマナーモード解除時刻とを比較することによって行う。つまり、制御部２１は、計時部１８によって計時される時刻と、データ用メモリ２５に記憶されるマナーモード解除時刻とが一致するか、または前記マナーモード解除時刻よりも前記計時される時刻が進んでいると判断したときは、予め設定したマナーモード解除時刻が到来したと判断する。また制御部２１は、前記計時される時刻よりも前記マナーモード解除時刻が進んでいると判断したときは、予め設定したマナーモード解除時刻が到来していないと判断する。
【００９３】
ステップｃ３では、制御部２１は、他の機能が実行されているか否か、具体的にはアプリケーションプログラムが実行されているか否かを判断する。ステップｃ３において、制御部２１が、他の機能が実行されていると判断したときは、他の機能が終了するまで待機する。ステップｃ３において、制御部２１が、他の機能は実行されていないと判断したときは、ステップｃ４に進む。
【００９４】
ステップｃ４では、制御部２１は、マナーモードから基本モードに切換えて、マナーモードの設定を解除する。ステップｃ５では、制御部２１は、図１１〜図１３に示すように、表示部２８に、マナーモードの設定を解除したことを示す内容のマナーモード解除情報を表示させる。ステップｃ６では、制御部２１は、表示部２８に予め定める待ち受け画像を表示させて、すべての処理手順を終了する。
【００９５】
前述のように本実施の形態によれば、予め定める第１の動作モード、本実施の形態では基本モードに適合するように、たとえば通信手段によって相手先からの着信要求を受信したとき、受信したことを表す音声が音声出力部１７から発音される状態で、キー入力部１４によって、予め定める第２の動作モード、本実施の形態ではマナーモードから基本モードへ切換えるときの時刻、換言すればマナーモードを解除する時刻を表す時刻情報が入力され、続いて第２操作キー４３が長押しされると、マナーモードに適合するように、たとえば音声出力部１７から発音される前記受信したことを表す音声が抑制または停止され、相手先からの着信要求を受信したとき、受信したことを表す受信情報を表示部２８または発光部２９に表示させること、および振動発生部３２によって振動させることの少なくともいずれか１つが行われ、前記マナーモードを解除する時刻を表す時刻情報がデータ用メモリ２５に記憶される。
【００９６】
このように、マナーモードに適合するように、音声出力部１７から発音される前記受信したことを表す音声が抑制または停止され、相手先からの着信要求を受信したとき、受信したことを表す受信情報を表示部２８または発光部２９に表示させること、および振動発生部３２によって振動させることの少なくともいずれか１つが行われる状態で、データ用メモリ２５に記憶される時刻情報が表す時刻と計時部１８によって計時される時刻とが比較され、前記時刻情報が表す時刻と前記計時される時刻とが一致すると判断された場合は、マナーモードが解除されて、マナーモードから基本モードに切換えられる。
【００９７】
したがって、使用者は、基本モードの状態で、マナーモードから基本モードに切換える時刻、つまりマナーモードを解除する時刻を表す時刻情報をキー入力部１４によって入力し、続いて第２操作キー４３を長押しする簡易な操作を行うだけで、マナーモードに設定することができ、さらに前記入力した時刻情報が表す時刻と計時部１８によって計時される時刻とが一致したときに、マナーモードを解除して基本モードに切換えることができる。これによって、使用者に対する利便性を向上することができる。
【００９８】
また、前記マナーモードを解除する時刻を表す時刻情報をキー入力部１４によって入力し、続いて第２操作キー４３を長押しする簡易な操作を行うだけで、キー入力部１４によって入力した時刻情報が表す時刻と計時部１８によって計時される時刻とが一致したときに、マナーモードから基本モードに切換えることができるので、使用者は所望する時刻、つまりキー入力部１４によって入力した時刻情報が表す時刻に、マナーモードから基本モードに切換える操作を行う必要がない。これによって、所望する時刻にマナーモードから基本モードに切換える操作を行う煩わしさを解消することができる。
【００９９】
次に、基本モードからドライブモードへ切換えるとともに、ドライブモードから基本モードへ切換える時刻を設定する場合について説明する。本実施の形態において、ドライブモードは、音声出力部１７から発音される音声の音量を抑制、または音声出力部１７による発音を停止するようにし、かつ通信手段によって相手先からの着信要求を受信したとき、着信に応答できない旨の情報を相手先に通知するようにするモードである。本実施の形態のドライブモードに関する説明において、基本モードは、第１の動作モードであり、ドライブモードは第２の動作モードである。なお、第１の動作モードは、基本モードに限らず、本発明の他の実施の形態では、他の動作モードであってもよい。
【０１００】
待ち受け状態で、表示画面に待ち受け画像、本実施の形態では日時情報を表す画像が表示されている状態で、使用者によってキー入力部１４の数字キー群１４ｂの数字キーが操作されて４桁の数字情報、たとえば「１２３４」が入力され、第３操作キー４４、本実施の形態では「＊」（アスタリスク）キーが長押しされると、ドライブモードから基本モードへ切換わる時刻、つまりドライブモードの設定が解除される時刻（以下、単に「ドライブモードの解除時刻」と表記する場合がある）、本実施の形態では「１２時３４分」が入力されたと判断されて、基本モードからドライブモードへ切換えられ、表示画面にドライブモードに設定したことを示す内容のドライブモード設定情報とともに、ドライブモード解除時刻を示す解除時刻情報が表示される。
【０１０１】
表示画面にドライブモード設定情報および解除時刻情報が表示されてから、予め定める時間、本実施の形態では２秒が経過すると、待ち受け状態に戻り、表示画面に待ち受け画像が表示されるとともに、状態表示領域にドライブモードに設定されていることを示すピクト（以下、単に「ドライブモードピクト」と表記する場合がある）が表示される。
【０１０２】
本実施の形態では、ドライブモード解除時刻が設定されている状態で、現在日時が変更されたときは、ドライブモードから基本モードへの切換え設定は破棄する。換言すれば、ドライブモード解除時刻が設定されている状態で、現在日時が変更されたときは、予め設定された解除時刻が到来してもドライブモードの解除を行わないようにする。また、本実施の形態では、予め設定された解除時刻が到来する前に、第３操作キー４４を長押しする操作を行い、ドライブモードから基本モードへの切換えを行うと、予め設定した解除時刻は消去される。
【０１０３】
初期設定において、現在日時を設定していない状態で、かつ待ち受け状態で、表示画面に待ち受け画像が表示されているとき、使用者によってキー入力部１４の数字キー群１４ｂの数字キーが操作されて４桁の数字情報が入力され、第３操作キー４４、本実施の形態では「＊」キーが長押しされると、表示画面に現在日時が設定されていないことを示す内容のエラー情報が表示される。表示画面にエラー情報が表示されてから予め定める時間、本実施の形態では２秒が経過すると、待ち受け状態に戻り、表示画面に待ち受け画像が表示される。
【０１０４】
また、待ち受け状態で、表示画面に待ち受け画像が表示されているとき、使用者によってキー入力部１４の数字キー群１４ｂの数字キーが操作されて、４桁以外の数字情報、たとえば「１２３４１１」が入力、または時刻として扱うことができない４桁の数字情報、たとえば「４３２１」が入力され、第３操作キー４４、本実施の形態では「＊」キーが長押しされると、表示画面に入力時刻が正しくないことを示す内容のエラー情報が表示される。表示画面にエラー情報が表示されてから予め定める時間、本実施の形態では２秒が経過すると、待ち受け状態に戻り、表示画面に待ち受け画像が表示される。
【０１０５】
図１５は、基本モードからドライブモードへの切換え設定およびドライブモードから基本モードへ切換える時刻の設定に関する制御部２１の処理手順を示すフローチャートである。ステップｄ１では、制御部２１は、表示部２８に予め定める待ち受け画像を表示させる。ステップｄ２では、制御部２１は、数字情報が入力されたか否かを判断する。ステップｄ２において、制御部２１が、数字情報が入力されたと判断したときは、ステップａ３に進み、制御部２１が、数字情報が入力されていないと判断したときは、数字情報が入力されるまで待機する。
【０１０６】
ステップｄ３では、制御部２１は、ドライブモード設定キーとして用いられる第３操作キー４４、本実施の形態では「＊」キーが長押しされたか否かを判断する。ステップｄ３において、制御部２１が、第３操作キー４４が長押しされたと判断したときは、ステップｄ４に進み、制御部２１が、第３操作キー４４が長押しされていないと判断したときは、第３操作キー４４が長押しされるまで待機する。
【０１０７】
ステップｄ４では、制御部２１は、ステップｄ２で入力された数字情報が時刻を表す時刻情報であるか否かを判断する。ステップｄ４において、制御部２１が、入力された数字情報が時刻情報であると判断したときは、ステップｄ５に進み、制御部２１が、入力された数字情報は時刻情報ではないと判断したときは、ステップｄ８に進む。ステップｄ２で入力された数字情報が時刻を表す時刻情報であるか否かの判断は、制御部２１が、入力された数字情報が４桁の数字情報で、かつ時刻として扱うことができる数字情報であるか否かを判断することによって行う。つまり、制御部２１が、入力された数字情報が４桁の数字情報で、かつ時刻として扱うことができる数字情報であると判断したときは、入力された数字情報が時刻情報であると判断し、入力された数字情報が４桁の数字情報で、かつ時刻として扱うことができる数字情報ではないと判断したときは、入力された数字情報が時刻情報ではないと判断する。
【０１０８】
ステップｄ５では、制御部２１は、基本モードからドライブモードへ切換えて、ドライブモードに設定する。ステップｄ６では、制御部２１は、ステップｄ２で入力された数字情報に基づいて判断された時刻情報を、ドライブモード解除時刻を表す時刻情報として設定する。具体的には、制御部２１は、前記ドライブモード解除時刻を表す時刻情報をデータ用メモリ２５に記憶させる。ステップｄ７では、制御部２１は、表示部２８にドライブモードに設定したことを示す内容のドライブモード設定情報を表示させ、ステップｄ９に進む。
【０１０９】
ステップｄ８では、制御部２１は、ステップｄ２で入力された数字情報に応じて、エラー情報を表示部２８に表示させる。ステップｄ９では、制御部２１は、表示部２８に予め定める待ち受け画像を表示させて、すべての処理手順を終了する。
【０１１０】
本実施の形態において、ドライブモードに設定され、かつドライブモード解除時刻が、たとえば１２時３４分に設定されている待ち受け状態で、表示画面に待ち受け画像が表示されているときに、使用者によってキー入力部１４の数字キー群１４ｂの数字キーが操作されて、新たに４桁の数字情報、たとえば「１５１５」が入力され、第３操作キー４４、本実施の形態では「＊」キーが長押しされると、ドライブモードから基本モードへ切換わる時刻、つまりドライブモード解除時刻が、本実施の形態では１２時３４分から１５時１５分に更新される。そして、表示画面にドライブモードに設定したことを示す内容のドライブモード設定情報とともに、更新されたドライブモード解除時刻を示す解除時刻情報が表示される。
【０１１１】
表示画面にドライブモード設定情報および解除時刻情報が表示されてから、予め定める時間、本実施の形態では２秒が経過すると、待ち受け状態に戻り、表示画面に待ち受け画像が表示されるとともに、状態表示領域にドライブモードピクトが表示される。
【０１１２】
図１６は、ドライブモードに設定されているとき、ドライブモードから基本モードへ切換える時刻の設定に関する制御部２１処理手順を示すフローチャートである。ステップｅ１では、制御部２１は、表示部２８に予め定める待ち受け画像を表示させる。ステップｅ２では、制御部２１は、数字情報が入力されたか否かを判断する。ステップｅ２において、制御部２１が、数字情報が入力されたと判断したときは、ステップｅ３に進み、制御部２１が、数字情報が入力されていないと判断したときは、数字情報が入力されるまで待機する。
【０１１３】
ステップｅ３では、制御部２１は、ドライブモード設定キーとして用いられる第３操作キー４４、本実施の形態では「＊」キーが長押しされたか否かを判断する。ステップｅ３において、制御部２１が、第３操作キー４４が長押しされたと判断したときは、ステップｅ４に進み、制御部２１が、第３操作キー４４が長押しされていないと判断したときは、第３操作キー４４が長押しされるまで待機する。
【０１１４】
ステップｅ４では、制御部２１は、ステップｅ２で入力された数字情報が時刻を表す時刻情報であるか否かを判断する。ステップｅ４において、制御部２１が、入力された数字情報が時刻情報であると判断したときは、ステップｅ５に進み、制御部２１が、入力された数字情報は時刻情報ではないと判断したときは、ステップｅ７に進む。ステップｅ２で入力された数字情報が時刻を表す時刻情報であるか否かの判断は、制御部２１が、入力された数字情報が４桁の数字情報で、かつ時刻として扱うことができる数字情報であるか否かを判断することによって行う。つまり、制御部２１が、入力された数字情報が４桁の数字情報で、かつ時刻として扱うことができる数字情報であると判断したときは、入力された数字情報が時刻情報であると判断し、入力された数字情報が４桁の数字情報で、かつ時刻として扱うことができる数字情報ではないと判断したときは、入力された数字情報が時刻情報ではないと判断する。
【０１１５】
ステップｅ５では、制御部２１は、ステップｅ２で入力された数字情報に基づいて判断された時刻情報を、ドライブモード解除時刻を表す時刻情報として更新して設定する。具体的には、制御部２１は、予めドライブモード解除時刻を表す時刻情報が記憶されているデータ用メモリ２５に、ステップｅ２で入力されたドライブモード解除時刻を表す時刻情報を記憶させて、ドライブモード解除時刻を表す時刻情報を更新する。
【０１１６】
ステップｅ６では、制御部２１は、表示部２８に、ドライブモードに設定したことを示す内容のドライブモード設定情報とともに、更新されたドライブモード解除時刻を示す解除時刻情報を表示させ、ステップｅ８に進む。ステップｅ７では、制御部２１は、ステップｅ２で入力された数字情報に応じて、エラー情報を表示部２８に表示させる。ステップｅ８では、制御部２１は、表示部２８に予め定める待ち受け画像を表示させて、すべての処理手順を終了する。
【０１１７】
本実施の形態において、ドライブモードに設定され、かつドライブモード解除時刻が、たとえば１２時３４分に設定されている待ち受け状態で、アプリケーションプログラムが実行されていないときに、ドライブモード解除時刻が到来すると、ドライブモードから基本モードに切換えられ、換言すればドライブモードの設定が解除され、表示画面にドライブモードの設定を解除したことを示す内容のドライブモード解除情報が表示される。表示画面にドライブモード解除情報が表示されてから、予め定める時間、本実施の形態では２秒が経過すると、待ち受け状態に戻り、表示画面に待ち受け画像が表示される。
【０１１８】
また、アプリケーションプログラムが実行されているときに、ドライブモード解除時刻が到来したときは、本実施の形態では、アプリケーションプログラムの実行時の作業を優先するようにしている。したがって、アプリケーションプログラムの実行時にドライブモード解除時刻が到来しても、表示部２８の表示画面に変化はなく、表示画面には作業中の情報が表示される。このアプリケーションプログラムが終了されると、待ち受け状態に戻り、ドライブモードから基本モードに切換えられ、表示画面にドライブモードの設定を解除したことを示す内容のドライブモード解除情報が表示される。表示画面にドライブモード解除情報が表示されてから、予め定める時間、本実施の形態では２秒が経過すると、待ち受け状態に戻り、表示画面に待ち受け画像が表示される。
【０１１９】
また本実施の形態において、待ち受け状態で、表示画面に待ち受け画像が表示されているときに、使用者によってキー入力部１４の電源キーが操作されると、通信装置本体への電力の供給が停止され、表示画面に何も表示されない状態になる。このような通信装置本体への電力の供給を停止しているときにドライブモードの解除時刻が到来しても、通信装置本体への電力の供給は停止されたままである。
【０１２０】
通信装置本体への電力の供給を停止している状態で、使用者によって再度、キー入力部１４の電源キーが操作されると、通信装置本体に電力が供給されるとともに、ドライブモード解除時刻が到来したか否かが判断され、ドライブモード解除時刻が到来したと判断されたとき、ドライブモードから基本モードに切換えられ、換言すればドライブモードの設定が解除され、表示画面にドライブモードの設定を解除したことを示す内容のドライブモード解除情報が表示される。表示画面にドライブモード解除情報が表示されてから、予め定める時間、本実施の形態では２秒が経過すると、待ち受け状態に戻り、表示画面に待ち受け画像が表示される。
【０１２１】
図１７は、ドライブモードから基本モードに切換えるときの制御部２１の処理手順を示すフローチャートである。ステップｆ１では、制御部２１は、表示部２８に予め定める待ち受け画像を表示させる。ステップｆ２では、制御部２１は、予め設定したドライブモード解除時刻が到来したか否かを判断する。ステップｆ２において、制御部２１が、予め設定したドライブモード解除時刻が到来したと判断したときは、ステップｆ３に進み、制御部２１が、予め設定したドライブモード解除時刻が到来していないと判断したときは、ドライブモード解除時刻が到来するまで待機する。
【０１２２】
予め設定したドライブモード解除時刻が到来したか否かの判断は、制御部２１が、計時部１８によって計時される時刻と、データ用メモリ２５に記憶されるドライブモード解除時刻とを比較することによって行う。つまり、制御部２１は、計時部１８によって計時される時刻と、データ用メモリ２５に記憶されるドライブモード解除時刻とが一致するか、または前記ドライブモード解除時刻よりも前記計時される時刻が進んでいると判断したときは、予め設定したドライブモード解除時刻が到来したと判断する。また制御部２１は、前記計時される時刻よりも前記ドライブモード解除時刻が進んでいると判断したときは、予め設定したドライブモード解除時刻が到来していないと判断する。
【０１２３】
ステップｆ３では、制御部２１は、他の機能が実行されているか否か、具体的にはアプリケーションプログラムが実行されているか否かを判断する。ステップｆ３において、制御部２１が、他の機能が実行されていると判断したときは、他の機能が終了するまで待機する。ステップｆ３において、制御部２１が、他の機能は実行されていないと判断したときは、ステップｆ４に進む。
【０１２４】
ステップｆ４では、制御部２１は、ドライブモードから基本モードに切換えて、ドライブモードの設定を解除する。ステップｆ５では、制御部２１は、表示部２８に、ドライブモードの設定を解除したことを示す内容のドライブモード解除情報を表示させる。ステップｆ６では、制御部２１は、表示部２８に予め定める待ち受け画像を表示させて、すべての処理手順を終了する。
【０１２５】
前述のように本実施の形態によれば、予め定める第１の動作モード、本実施の形態では基本モードに適合するように、たとえば通信手段によって相手先からの着信要求を受信したとき、受信したことを表す音声が音声出力部１７から発音される状態で、キー入力部１４によって予め定める第２の動作モード、本実施の形態ではドライブモードから基本モードへ切換えるときの時刻、換言すればドライブモードを解除する時刻を表す時刻情報が入力され、続いて第３操作キー４４が長押しされると、ドライブモードに適合するように、たとえば通信手段によって相手先からの着信要求を受信したとき、音声出力部１７から発音される前記受信したことを表す音声が抑制または停止され、着信に応答できない旨の情報を相手先に通知することが行われ、前記ドライブモードを解除する時刻を表す時刻情報がデータ用メモリ２５に記憶される。
【０１２６】
このように、ドライブモードに適合するように、相手先からの着信要求を受信したとき、音声出力部１７から発音される前記受信したことを表す音声が抑制または停止され、着信に応答できない旨の情報を相手先に通知することが行われる状態で、データ用メモリ２５に記憶される時刻情報が表す時刻と計時部１８によって計時される時刻とが比較され、前記時刻情報が表す時刻と前記計時される時刻とが一致すると判断された場合は、ドライブモードが解除されて、ドライブモードから基本モードに切換えられる。
【０１２７】
したがって、使用者は、基本モードの状態で、ドライブモードから基本モードに切換える時刻、つまりドライブモードを解除する時刻を表す時刻情報をキー入力部１４によって入力し、続いて第３操作キー４４を長押しする簡易な操作を行うだけで、ドライブモードに設定することができ、さらに前記入力した時刻情報が表す時刻と計時部１８によって計時される時刻とが一致したときに、ドライブモードを解除して基本モードに切換えることができる。これによって、使用者に対する利便性を向上することができる。
【０１２８】
また、前記ドライブモードを解除する時刻を表す時刻情報をキー入力部１４によって入力し、続いて第３操作キー４４を長押しする簡易な操作を行うだけで、キー入力部１４によって入力した時刻情報が表す時刻と計時部１８によって計時される時刻とが一致したときに、ドライブモードから基本モードに切換えることができるので、使用者は所望する時刻、つまりキー入力部１４によって入力した時刻情報が表す時刻に、ドライブモードから基本モードに切換える操作を行う必要がない。これによって、所望する時刻にドライブモードから基本モードに切換える操作を行う煩わしさを解消することができる。
【０１２９】
次に、電力供給モードから電力供給停止モードへ切換えるとともに、電力供給停止モードから電力供給モードへ切換える時刻を設定する場合について説明する。本実施の形態において、電力供給モードは、電源部２０から通信装置本体に電力を供給するモードであり、電力供給停止モードは、電源部２０から通信装置本体への電力の供給を停止するモードである。本実施の形態の電力供給モードおよび電力供給停止モードに関する説明において、電力供給モードは、第１の動作モードであり、電力供給停止モードは第２の動作モードである。
【０１３０】
待ち受け状態で、表示画面に待ち受け画像、本実施の形態では日時情報を表す画像が表示されている状態で、使用者によってキー入力部１４の数字キー群１４ｂの数字キーが操作されて４桁の数字情報、たとえば「１２３４」が入力され、第１操作キー４１が長押しされると、電力供給停止モードから電力供給モードへ切換わる時刻、つまり電力供給停止モードの設定が解除される時刻（以下、単に「電力停止モード解除時刻」と表記する場合がある）、本実施の形態では「１２時３４分」が入力されたと判断されて、表示画面に電力供給停止モードに設定したことを示す内容の電力供給停止モード設定情報とともに、電力停止モード解除時刻を示す解除時刻情報が表示される。
【０１３１】
表示画面に電力供給停止モード設定情報および解除時刻情報が表示されてから、予め定める時間、本実施の形態では２秒が経過すると、電源部２０から通信装置本体への電力の供給が停止される。
【０１３２】
本実施の形態では、予め設定された電力停止モード解除時刻が到来する前に、第１操作キー４１を長押しする操作が行われ、電力供給停止モードから電力供給モードへの切換えが行われると、予め設定した電力停止モード解除時刻は消去される。
【０１３３】
初期設定において、現在日時を設定していない状態で、かつ待ち受け状態で、表示画面に待ち受け画像が表示されているとき、使用者によってキー入力部１４の数字キー群１４ｂの数字キーが操作されて４桁の数字情報が入力され、第１操作キー４１が長押しされると、表示画面に現在日時が設定されていないことを示す内容のエラー情報が表示される。表示画面にエラー情報が表示されてから予め定める時間、本実施の形態では２秒が経過すると、待ち受け状態に戻り、表示画面に待ち受け画像が表示される。
【０１３４】
また、待ち受け状態で、表示画面に待ち受け画像が表示されているとき、使用者によってキー入力部１４の数字キー群１４ｂの数字キーが操作されて、４桁以外の数字情報、たとえば「１２３４１１」が入力、または時刻として扱うことができない４桁の数字情報、たとえば「４３２１」が入力され、第１操作キー４１が長押しされると、表示画面に入力時刻が正しくないことを示す内容のエラー情報が表示される。表示画面にエラー情報が表示されてから予め定める時間、本実施の形態では２秒が経過すると、待ち受け状態に戻り、表示画面に待ち受け画像が表示される。
【０１３５】
図１８は、電力供給モードから電力供給停止モードへの切換え設定および電力供給停止モードから電力供給モードへ切換える時刻の設定に関する制御部２１の処理手順を示すフローチャートである。ステップｇ１では、制御部２１は、表示部２８に予め定める待ち受け画像を表示させる。ステップｇ２では、制御部２１は、数字情報が入力されたか否かを判断する。ステップｇ２において、制御部２１が、数字情報が入力されたと判断したときは、ステップｇ３に進み、制御部２１が、数字情報が入力されていないと判断したときは、数字情報が入力されるまで待機する。
【０１３６】
ステップｇ３では、制御部２１は、電源キーとして用いられる第１操作キー４１が長押しされたか否かを判断する。ステップｇ３において、制御部２１が、第１操作キー４１が長押しされたと判断したときは、ステップｇ４に進み、制御部２１が、第１操作キー４１が長押しされていないと判断したときは、第１操作キー４１が長押しされるまで待機する。
【０１３７】
ステップｇ４では、制御部２１は、ステップｇ２で入力された数字情報が時刻を表す時刻情報であるか否かを判断する。ステップｇ４において、制御部２１が、入力された数字情報が時刻情報であると判断したときは、ステップｇ５に進み、制御部２１が、入力された数字情報は時刻情報ではないと判断したときは、ステップｇ８に進む。ステップｇ２で入力された数字情報が時刻を表す時刻情報であるか否かの判断は、制御部２１が、入力された数字情報が４桁の数字情報で、かつ時刻として扱うことができる数字情報であるか否かを判断することによって行う。つまり、制御部２１が、入力された数字情報が４桁の数字情報で、かつ時刻として扱うことができる数字情報であると判断したときは、入力された数字情報が時刻情報であると判断し、入力された数字情報が４桁の数字情報で、かつ時刻として扱うことができる数字情報ではないと判断したときは、入力された数字情報が時刻情報ではないと判断する。
【０１３８】
ステップｇ５では、制御部２１は、ステップｇ２で入力された数字情報に基づいて判断された時刻情報を、電力供給停止モード解除時刻を表す時刻情報として設定する。具体的には、制御部２１は、前記電力供給停止モード解除時刻を表す時刻情報を計時用メモリ１９に記憶させる。ステップｇ６では、制御部２１は、表示部２８に電力供給停止モードに設定したことを示す内容の電力供給停止モード設定情報を表示させる。
【０１３９】
ステップｇ７では、電源部２０から通信装置本体への電力の供給を停止して、すべての処理手順を終了する。ステップｇ８では、制御部２１は、ステップｇ２で入力された数字情報に応じて、エラー情報を表示部２８に表示させる。ステップｇ９では、制御部２１は、表示部２８に予め定める待ち受け画像を表示させて、すべての処理手順を終了する。
【０１４０】
図１９は、電力供給停止モードから電力供給モードに切換えるときの制御部２１の処理手順を示すフローチャートである。ステップｈ１では、制御部２１は、予め設定した電力停止モード解除時刻が到来したか否かを判断する。ステップｈ１において、制御部２１が、予め設定した電力停止モード解除時刻が到来したと判断したときは、ステップｈ２に進み、制御部２１が、予め設定した電力停止モード解除時刻が到来していないと判断したときは、電力停止モード解除時刻が到来するまで待機する。
【０１４１】
予め設定した電力停止モード解除時刻が到来したか否かの判断は、制御部２１が計時部１８から与えられる、電力停止モード解除時刻が到来したことを表す解除時刻到来情報に基づいて行う。計時部１８は、計時用メモリ１９に記憶された解除時刻情報が表す電力停止モード解除時刻と、計時した時刻とを比較し、前記電力停止モード解除時刻と計時した時刻とが一致したときに、電力停止モード解除時刻が到来したことを表す解除時刻到来情報を制御部２１に与える。つまり、制御部２１は、計時部１８から解除時刻到来情報が与えられたとき、予め設定した電力停止モード解除時刻が到来したと判断する。また制御部２１は、計時部１８から解除時刻到来情報が与えられていないときは、予め設定した電力停止モード解除時刻が到来していないと判断する。
【０１４２】
ステップｈ２では、制御部２１は、電力供給停止モードから電力供給モードに切換えて、電源部２０から通信装置本体に対して電力を供給する。ステップｈ３では、制御部２１は、表示部２８に予め定める待ち受け画像を表示させて、すべての処理手順を終了する。
【０１４３】
本実施の形態では、電力供給モードから電力供給停止モードへ切換えられた状態のとき、予め設定された電力停止モード解除時刻が到来する前に、使用者によって第１操作キー４１が長押しされ、強制的に電力供給停止モードから電力供給モードへの切換えが行われると、予め設定された電力停止モード解除時刻は消去される。
【０１４４】
前述のように本実施の形態によれば、電源制御部２２によって、通信装置本体に電力を供給するように電源部２０が制御されている状態で、キー入力部１４によって通信装置本体に電力を供給する時刻を表す電力供給時刻情報が入力され、続いて通信装置本体に電力を供給する電力供給モードから、通信装置本体への電力の供給を停止する電力供給停止モードに切換えるための第１操作キー４１が長押しされると、制御部２１によって、通信装置本体への電力の供給を停止するように電源部２０が制御されるとともに、電力供給時刻情報が計時用メモリ１９に記憶される。
【０１４５】
電源制御部２２によって、通信装置本体への電力の供給を停止するように電源部２０が制御されている状態で、計時用メモリ１９に記憶される電力供給時刻情報が表す時刻と計時部１８によって計時される時刻とが比較され、前記電力供給時刻情報が表す時刻と前記計時される時刻とが一致すると判断された場合は、通信装置本体に電力を供給するように電源部２０が制御される。
【０１４６】
したがって、通信装置本体に電力を供給するように電源部２０が制御されている状態で、使用者が、キー入力部１４によって電力供給時刻情報を入力し、続いて第１操作キー４１を長押しする簡易な操作を行うだけで、通信装置本体への電力の供給を停止するように電源部２０が制御される状態に切換えることができ、さらにキー入力部１４によって入力した電力供給時刻情報が表す時刻と計時部１８によって計時される時刻とが一致したときに、通信装置本体に電力を供給するように電源部２０が制御される状態に切換えることができる。これによって、使用者に対する利便性を向上することができる。
【０１４７】
また、使用者が、キー入力部１４によって電力供給時刻情報を入力し、続いて第１操作キー４１を長押しする簡易な操作を行うだけで、キー入力部１４によって入力した電力供給時刻情報が表す時刻と計時部１８によって計時される時刻とが一致したときに、通信装置本体に電力を供給するように電源部２０が制御される状態に切換えることができるので、使用者は、所望する時刻に、電力供給停止モードから電力供給モードに切換える操作を行う必要がない。これによって、所望する時刻に電力供給停止モードから電力供給モードに切換える操作を行う煩わしさを解消することができる。
【０１４８】
次に、基本モードから自動撮像モードへ切換えるとともに、基本モードから自動撮像モードへ切換える時刻（以下、単に「自動撮像開始時刻」と表記する場合がある）を設定する場合について説明する。本実施の形態において、自動撮像モードは、予め設定した自動撮像開始時刻が到来すると、予め定める時間だけ静止画像または動画像を撮像し、撮像した静止画像および動画像を画像データとしてデータ用メモリ２５、または不揮発性の記録媒体であるフラッシュメモリカードに記憶するように動作するモードである。自動撮像モードは、撮像モードに相当する。本実施の形態の自動撮像モードに関する説明において、基本モードは、第１の動作モードであり、自動撮像モードは第２の動作モードである。なお、第１の動作モードは、基本モードに限らず、本発明の他の実施の形態では、他の動作モードであってもよい。
【０１４９】
待ち受け状態で、表示画面に待ち受け画像、本実施の形態では日時情報を表す画像が表示されている状態で、使用者によってキー入力部１４の数字キー群１４ｂの数字キーが操作されて４桁の数字情報、たとえば「１２３４」が入力され、撮像キー４２が押下されると、基本モードから自動撮像モードへ切換わる時刻、つまり自動撮像開始時刻、本実施の形態では「１２時３４分」が入力されたと判断されて、表示画面に自動撮像モードに設定したことを示す内容の自動撮像モード設定情報とともに、自動撮像開始時刻を示す撮像開始時刻情報が表示される。
【０１５０】
表示画面に自動撮像モード設定情報および撮像開始時刻情報が表示されてから、予め定める時間、本実施の形態では２秒が経過すると、待ち受け状態に戻り、表示画面に待ち受け画像が表示されるとともに、状態表示領域に自動撮像モードに設定されていることを示すピクト（以下、単に「自動撮像モードピクト」と表記する場合がある）が表示される。
【０１５１】
本実施の形態では、自動撮像開始時刻が設定されている状態で、現在日時が変更されたときは、基本モードから自動撮像モードへの切換え設定は破棄する。換言すれば、自動撮像開始時刻が設定されている状態で、現在日時が変更されたときは、予め設定された自動撮像開始時刻が到来しても基本モードから自動撮像モードへ切換えないようにする。
【０１５２】
初期設定において、現在日時を設定していない状態で、かつ待ち受け状態で、表示画面に待ち受け画像が表示されているとき、使用者によってキー入力部１４の数字キー群１４ｂの数字キーが操作されて４桁の数字情報が入力され、撮像キー４２が押下されると、表示画面に現在日時が設定されていないことを示す内容のエラー情報が表示される。表示画面にエラー情報が表示されてから予め定める時間、本実施の形態では２秒が経過すると、待ち受け状態に戻り、表示画面に待ち受け画像が表示される。
【０１５３】
また、待ち受け状態で、表示画面に待ち受け画像が表示されているとき、使用者によってキー入力部１４の数字キー群１４ｂの数字キーが操作されて、４桁以外の数字情報、たとえば「１２３４１１」が入力、または時刻として扱うことができない４桁の数字情報、たとえば「４３２１」が入力され、撮像キー４２が押下されると、表示画面に入力時刻が正しくないことを示す内容のエラー情報が表示される。表示画面にエラー情報が表示されてから予め定める時間、本実施の形態では２秒が経過すると、待ち受け状態に戻り、表示画面に待ち受け画像が表示される。
【０１５４】
図２０は、基本モードから自動撮像モードへの切換え設定および基本モードから自動撮像モードへ切換える時刻の設定に関する制御部２１の処理手順を示すフローチャートである。ステップｋ１では、制御部２１は、表示部２８に予め定める待ち受け画像を表示させる。ステップｋ２では、制御部２１は、数字情報が入力されたか否かを判断する。ステップｋ２において、制御部２１が、数字情報が入力されたと判断したときは、ステップｋ３に進み、制御部２１が、数字情報が入力されていないと判断したときは、数字情報が入力されるまで待機する。
【０１５５】
ステップｋ３では、制御部２１は、撮像キー４２が押下されたか否かを判断する。ステップｋ３において、制御部２１が、撮像キー４２が押下されたと判断したときは、ステップｋ４に進み、制御部２１が、撮像キー４２が押下されていないと判断したときは、撮像キー４２が押下されるまで待機する。
【０１５６】
ステップｋ４では、制御部２１は、ステップｋ２で入力された数字情報が時刻を表す時刻情報であるか否かを判断する。ステップｋ４において、制御部２１が、入力された数字情報が時刻情報であると判断したときは、ステップｋ５に進み、制御部２１が、入力された数字情報は時刻情報ではないと判断したときは、ステップｋ７に進む。ステップｋ２で入力された数字情報が時刻を表す時刻情報であるか否かの判断は、制御部２１が、入力された数字情報が４桁の数字情報で、かつ時刻として扱うことができる数字情報であるか否かを判断することによって行う。つまり、制御部２１が、入力された数字情報が４桁の数字情報で、かつ時刻として扱うことができる数字情報であると判断したときは、入力された数字情報が時刻情報であると判断し、入力された数字情報が４桁の数字情報で、かつ時刻として扱うことができる数字情報ではないと判断したときは、入力された数字情報が時刻情報ではないと判断する。
【０１５７】
ステップｋ５では、制御部２１は、自動撮像モードに設定するとともに、ステップｋ２で入力された数字情報に基づいて判断された時刻情報を、自動撮像開始時刻を表す時刻情報として設定する。具体的には、制御部２１は、前記自動撮像開始時刻を表す時刻情報をデータ用メモリ２５、または不揮発性の記録媒体であるフラッシュメモリカードに記憶させる。
【０１５８】
ステップｋ６では、制御部２１は、表示部２８に自動撮像モードに設定したことを示す内容の自動撮像モード設定情報を表示させる。ステップｋ７では、制御部２１は、ステップｋ２で入力された数字情報に応じて、エラー情報を表示部２８に表示させる。ステップｋ８では、制御部２１は、表示部２８に予め定める待ち受け画像を表示させて、すべての処理手順を終了する。
【０１５９】
本実施の形態において、自動撮像モードに設定され、かつ自動撮像開始時刻が、たとえば１２時３４分に設定されている待ち受け状態で、アプリケーションプログラムが実行されていないときに、自動撮像開始時刻が到来すると、自動撮像モードに切換えられて、撮像部３１が起動され、予め定める時間だけ静止画像または動画像を撮像し、撮像した静止画像および動画像を画像データとしてデータ用メモリ２５、または不揮発性の記録媒体であるフラッシュメモリカードに記憶する撮像処理が行われる。
【０１６０】
また、アプリケーションプログラムが実行されているときに、自動撮像開始時刻が到来したときは、本実施の形態では、アプリケーションプログラムの実行時の作業を優先するようにしている。したがって、アプリケーションプログラムの実行時に自動撮像開始時刻が到来しても、表示部２８の表示画面に変化はなく、表示画面には作業中の情報が表示される。このアプリケーションプログラムが終了されると、待ち受け状態に戻り、自動撮像モードに切換えられて、撮像部３１によって前述の撮像処理が行われる。
【０１６１】
また本実施の形態において、待ち受け状態で、表示画面に待ち受け画像が表示されているときに、使用者によってキー入力部１４の電源キーが操作されると、通信装置本体への電力の供給が停止され、表示画面に何も表示されない状態になる。このような通信装置本体への電力の供給を停止しているときに自動撮像開始時刻が到来しても、通信装置本体への電力の供給は停止されたままである。通信装置本体への電力の供給を停止している状態で、使用者によって再度、キー入力部１４の電源キーが操作されると、通信装置本体に電力が供給されるとともに、自動撮像開始時刻が到来したか否かが判断され、自動撮像開始時刻が到来したと判断されたとき、基本モードから自動撮像モードに切換えられて、撮像部３１によって前述の撮像処理が行われる。
【０１６２】
図２１は、基本モードから自動撮像モードに切換えるときの制御部２１の処理手順を示すフローチャートである。ステップｍ１では、制御部２１は、表示部２８に予め定める待ち受け画像を表示させる。ステップｍ２では、制御部２１は、予め設定した自動撮像開始時刻が到来したか否かを判断する。ステップｍ２において、制御部２１が、予め設定した自動撮像開始時刻が到来したと判断したときは、ステップｍ３に進み、制御部２１が、予め設定した自動撮像開始時刻が到来していないと判断したときは、自動撮像開始時刻が到来するまで待機する。
【０１６３】
予め設定した自動撮像開始時刻が到来したか否かの判断は、制御部２１が、計時部１８によって計時される時刻と、データ用メモリ２５に記憶される自動撮像開始時刻とを比較することによって行う。つまり、計時部１８によって計時される時刻と、データ用メモリ２５に記憶される自動撮像開始時刻とが一致するか、または前記自動撮像開始時刻よりも前記計時される時刻が進んでいるときは、制御部２１は、予め設定した自動撮像開始時刻が到来したと判断する。前記計時される時刻よりも前記自動撮像開始時刻が進んでいるときは、制御部２１は、予め設定した自動撮像開始時刻が到来していないと判断する。
【０１６４】
ステップｍ３では、制御部２１は、他の機能が実行されているか否か、具体的にはアプリケーションプログラムが実行されているか否かを判断する。ステップｍ３において、制御部２１が、他の機能が実行されていると判断したときは、他の機能が終了するまで待機する。ステップｍ３において、制御部２１が、他の機能は実行されていないと判断したときは、ステップｍ４に進む。
【０１６５】
ステップｍ４では、制御部２１は、撮像部３１を起動させる。具体的には、制御部２１は、撮像部３１に対して、予め定める時間だけ画像を撮像する指示情報を与える。ステップｍ５では、制御部２１は、撮像部３１に画像を撮像させ、撮像部３１によって撮像された画像を、画像データとして一時的に作業用メモリ２４に記憶させる。
【０１６６】
ステップｍ６では、制御部２１は、作業用メモリ２４に一時的に記憶させた画像データに対して、所定の圧縮処理を施し、圧縮処理を施した画像データをデータ用メモリ２５、または不揮発性の記録媒体であるフラッシュメモリカードに記憶させる。ステップｍ７では、制御部２１は、表示部２８に予め定める待ち受け画像を表示させて、すべての処理手順を終了する。
【０１６７】
前述のように本実施の形態によれば、キー入力部１４によって、撮像部３１によって画像を撮像する時刻を表す撮像時刻情報が入力され、続いて撮像部３１によって画像を撮像するとともに撮像した画像を画像データとしてデータ用メモリ２５、または不揮発性の記録媒体であるフラッシュメモリカードに記憶させる自動撮像モードに切換えるための撮像キー４２が押下されると、制御部２１によって、撮像時刻情報がデータ用メモリ２５に記憶される。制御部２１によってデータ用メモリ２５に記憶される撮像時刻情報が表す時刻と、計時部１８によって計時される時刻とが比較され、前記撮像時刻情報が表す時刻と前記計時される時刻とが一致すると判断された場合は、画像を撮像するように撮像部３１が制御されるとともに、撮像部３１によって撮像された画像は画像データとしてデータ用メモリ２５、または不揮発性の記録媒体であるフラッシュメモリカードに記憶される。
【０１６８】
したがって、使用者が、キー入力部１４によって撮像時刻情報を入力し、続いて撮像キー４２を押下する簡易な操作を行うだけで、キー入力部１４によって入力した撮像時刻情報が表す時刻と計時部１８によって計時される時刻とが一致したとき、撮像部３１によって画像が撮像し、撮像部３１によって撮像した画像を画像データとしてデータ用メモリ２５、または不揮発性の記録媒体であるフラッシュメモリカードに記憶させる自動撮像モードに設定することができる。これによって、使用者に対する利便性を向上することができる。
【０１６９】
次に、基本モードから自動録音モードへ切換えるとともに、基本モードから自動録音モードへ切換える時刻（以下、単に「自動録音開始時刻」と表記する場合がある）を設定する場合について説明する。本実施の形態において、自動録音モードは、予め設定した自動録音開始時刻が到来すると、予め定める時間だけ通信装置１の周囲の音声を録音部３４のマイクロフォンによって入力し、入力した音声を音声データとしてデータ用メモリ２５、または不揮発性の記録媒体であるフラッシュメモリカードに記憶するように動作するモードである。自動録音モードは、音声入力モードに相当する。本実施の形態の自動録音モードに関する説明において、基本モードは、第１の動作モードであり、自動録音モードは第２の動作モードである。なお、第１の動作モードは、基本モードに限らず、本発明の他の実施の形態では、他の動作モードであってもよい。
【０１７０】
待ち受け状態で、表示画面に待ち受け画像、本実施の形態では日時情報を表す画像が表示されている状態で、使用者によってキー入力部１４の数字キー群１４ｂの数字キーが操作されて４桁の数字情報、たとえば「１２３４」が入力され、第４操作キー４５が長押しされると、基本モードから自動録音モードへ切換わる時刻、つまり自動録音開始時刻、本実施の形態では「１２時３４分」が入力されたと判断されて、表示画面に自動録音モードに設定したことを示す内容の自動録音モード設定情報とともに、自動録音開始時刻を示す録音開始時刻情報が表示される。
【０１７１】
表示画面に自動録音モード設定情報および録音開始時刻情報が表示されてから、予め定める時間、本実施の形態では２秒が経過すると、待ち受け状態に戻り、表示画面に待ち受け画像が表示されるとともに、状態表示領域に自動録音モードに設定されていることを示すピクト（以下、単に「自動録音モードピクト」と表記する場合がある）が表示される。
【０１７２】
本実施の形態では、自動録音開始時刻が設定されている状態で、現在日時が変更されたときは、基本モードから自動録音モードへの切換え設定は破棄する。換言すれば、自動録音開始時刻が設定されている状態で、現在日時が変更されたときは、予め設定された自動録音開始時刻が到来しても基本モードから自動録音モードへ切換えないようにする。
【０１７３】
初期設定において、現在日時を設定していない状態で、かつ待ち受け状態で、表示画面に待ち受け画像が表示されているとき、使用者によってキー入力部１４の数字キー群１４ｂの数字キーが操作されて４桁の数字情報が入力され、第４相さキー４５が長押しされると、表示画面に現在日時が設定されていないことを示す内容のエラー情報が表示される。表示画面にエラー情報が表示されてから予め定める時間、本実施の形態では２秒が経過すると、待ち受け状態に戻り、表示画面に待ち受け画像が表示される。
【０１７４】
また、待ち受け状態で、表示画面に待ち受け画像が表示されているとき、使用者によってキー入力部１４の数字キー群１４ｂの数字キーが操作されて、４桁以外の数字情報、たとえば「１２３４１１」が入力、または時刻として扱うことができない４桁の数字情報、たとえば「４３２１」が入力され、第４操作キー４５が長押しされると、表示画面に入力時刻が正しくないことを示す内容のエラー情報が表示される。表示画面にエラー情報が表示されてから予め定める時間、本実施の形態では２秒が経過すると、待ち受け状態に戻り、表示画面に待ち受け画像が表示される。
【０１７５】
図２２は、基本モードから自動録音モードへの切換え設定および基本モードから自動録音モードへ切換える時刻の設定に関する制御部２１の処理手順を示すフローチャートである。ステップｎ１では、制御部２１は、表示部２８に予め定める待ち受け画像を表示させる。ステップｎ２では、制御部２１は、数字情報が入力されたか否かを判断する。ステップｎ２において、制御部２１が、数字情報が入力されたと判断したときは、ステップｎ３に進み、制御部２１が、数字情報が入力されていないと判断したときは、数字情報が入力されるまで待機する。
【０１７６】
ステップｎ３では、制御部２１は、第４操作キー４５が押下されたか否かを判断する。ステップｎ３において、制御部２１が、第４操作キー４５が長押しされたと判断したときは、ステップｎ４に進み、制御部２１が、第４操作キー４５が長押しされていないと判断したときは、第４操作キー４５が押下されるまで待機する。
【０１７７】
ステップｎ４では、制御部２１は、ステップｎ２で入力された数字情報が時刻を表す時刻情報であるか否かを判断する。ステップｎ４において、制御部２１が、入力された数字情報が時刻情報であると判断したときは、ステップｎ５に進み、制御部２１が、入力された数字情報は時刻情報ではないと判断したときは、ステップｎ７に進む。ステップｎ２で入力された数字情報が時刻を表す時刻情報であるか否かの判断は、制御部２１が、入力された数字情報が４桁の数字情報で、かつ時刻として扱うことができる数字情報であるか否かを判断することによって行う。つまり、制御部２１が、入力された数字情報が４桁の数字情報で、かつ時刻として扱うことができる数字情報であると判断したときは、入力された数字情報が時刻情報であると判断し、入力された数字情報が４桁の数字情報で、かつ時刻として扱うことができる数字情報ではないと判断したときは、入力された数字情報が時刻情報ではないと判断する。
【０１７８】
ステップｎ５では、制御部２１は、自動録音モードに設定するとともに、ステップｎ２で入力された数字情報に基づいて判断された時刻情報を、自動録音開始時刻を表す時刻情報として設定する。具体的には、制御部２１は、前記自動録音開始時刻を表す時刻情報をデータ用メモリ２５に記憶させる。
【０１７９】
ステップｎ６では、制御部２１は、表示部２８に自動録音モードに設定したことを示す内容の自動録音モード設定情報を表示させる。ステップｎ７では、制御部２１は、ステップｎ２で入力された数字情報に応じて、エラー情報を表示部２８に表示させる。ステップｎ８では、制御部２１は、表示部２８に予め定める待ち受け画像を表示させて、すべての処理手順を終了する。
【０１８０】
本実施の形態において、自動録音モードに設定され、かつ自動録音開始時刻が、たとえば１２時３４分に設定されている待ち受け状態で、アプリケーションプログラムが実行されていないときに、自動録音開始時刻が到来すると、自動録音モードに切換えられて、予め定める時間だけ録音部３４のマイクロフォンに入力する通信装置１の周囲の音声を、音声データとしてデータ用メモリ２５、または不揮発性の記録媒体であるフラッシュメモリカードに記憶する録音処理が行われる。
【０１８１】
また、アプリケーションプログラムが実行されているときに、自動録音開始時刻が到来したときは、本実施の形態では、アプリケーションプログラムの実行時の作業を優先するようにしている。したがって、アプリケーションプログラムの実行時に自動録音開始時刻が到来しても、表示部２８の表示画面に変化はなく、表示画面には作業中の情報が表示される。このアプリケーションプログラムが終了されると、待ち受け状態に戻り、自動録音モードに切換えられて、前述の録音処理が行われる。
【０１８２】
また本実施の形態において、待ち受け状態で、表示画面に待ち受け画像が表示されているときに、使用者によってキー入力部１４の電源キーが操作されると、通信装置本体への電力の供給が停止され、表示画面に何も表示されない状態になる。このような通信装置本体への電力の供給を停止しているときに自動録音開始時刻が到来しても、通信装置本体への電力の供給は停止されたままである。通信装置本体への電力の供給を停止している状態で、使用者によって再度、キー入力部１４の電源キーが操作されると、通信装置本体に電力が供給されるとともに、自動録音開始時刻が到来したか否かが判断され、自動録音開始時刻が到来したと判断されたとき、基本モードから自動録音モードに切換えられて、前述の録音処理が行われる。
【０１８３】
図２３は、基本モードから自動録音モードに切換えるときの制御部２１の処理手順を示すフローチャートである。ステップｐ１では、制御部２１は、表示部２８に予め定める待ち受け画像を表示させる。ステップｐ２では、制御部２１は、予め設定した自動録音開始時刻が到来したか否かを判断する。ステップｐ２において、制御部２１が、予め設定した自動録音開始時刻が到来したと判断したときは、ステップｐ３に進み、制御部２１が、予め設定した自動録音開始時刻が到来していないと判断したときは、自動録音開始時刻が到来するまで待機する。
【０１８４】
予め設定した自動録音開始時刻が到来したか否かの判断は、制御部２１が、計時部１８によって計時される時刻と、データ用メモリ２５に記憶される自動録音開始時刻とを比較することによって行う。つまり、計時部１８によって計時される時刻と、データ用メモリ２５に記憶される自動録音開始時刻とが一致するか、または前記自動録音開始時刻よりも前記計時される時刻が進んでいるときは、制御部２１は、予め設定した自動録音開始時刻が到来したと判断する。前記計時される時刻よりも前記自動録音開始時刻が進んでいるときは、制御部２１は、予め設定した自動録音開始時刻が到来していないと判断する。
【０１８５】
ステップｐ３では、制御部２１は、他の機能が実行されているか否か、具体的にはアプリケーションプログラムが実行されているか否かを判断する。ステップｐ３において、制御部２１が、他の機能が実行されていると判断したときは、他の機能が終了するまで待機する。ステップｐ３において、制御部２１が、他の機能は実行されていないと判断したときは、ステップｐ４に進む。
【０１８６】
ステップｐ４では、制御部２１は、録音部３４よって予め定める時間だけ入力される通信装置１の周囲の音声を、音声データとしてデータ用メモリ２５に記憶させる。ステップｐ５では、制御部２１は、表示部２８に予め定める待ち受け画像を表示させて、すべての処理手順を終了する。
【０１８７】
前述のように本実施の形態によれば、キー入力部１４によって、録音部３４のマイクロフォンによって通信装置１の周囲の音声を入力する時刻を表す音声入力時刻情報が入力され、続いて録音部３４のマイクロフォンによって通信装置１の周囲の音声を入力してデータ用メモリ２５に記憶させる自動録音モードに切換えるための第４操作キー４５が長押しされると、制御部２１によって、音声入力時刻情報がデータ用メモリ２５に記憶される。制御部２１によって、データ用メモリ２５に記憶される音声入力時刻情報が表す時刻と、計時部１８によって計時される時刻とが比較され、前記音声入力時刻情報が表す時刻と前記計時される時刻とが一致すると判断された場合は、録音部３４のマイクロフォンによって通信装置１の周囲の音声が入力されるとともに、録音部３４のマイクロフォンによって入力された音声が音声データとしてデータ用メモリ２５に記憶される。
【０１８８】
したがって、使用者が、キー入力部１４によって音声入力時刻情報を入力し、続いて第４操作キー４５を長押しする簡易な操作を行うだけで、キー入力部１４によって入力した音声入力時刻情報が表す時刻と計時部１８によって計時される時刻とが一致したとき、録音部３４のマイクロフォンによって通信装置１の周囲の音声を入力し、録音部３４のマイクロフォンによって入力した音声を音声データとしてデータ用メモリ２５に記憶させる自動録音モードに設定することができる。これによって、使用者に対する利便性を向上することができる。
【０１８９】
前述の実施の形態は、本発明の例示に過ぎず、本発明の範囲内において発明の構成を変更してもよい。たとえば、前述の実施の形態では、第１の動作モードとして基本モードおよび電力供給モードを適用し、第２の動作モードとしてマナーモード、ドライブモード、電力供給停止モード、自動撮像モードおよび自動録音モードを適用したときの通信装置１の構成について述べたが、本発明の他の実施の形態では、第１の動作モードがマナーモード、ドライブモード、電力供給停止モード、自動撮像モードおよび自動録音モードで、第２の動作モードが基本モードおよび電力供給モードであっても好適に実施することができる。
【０１９０】
また、前述の実施の形態において、基本モードから自動撮像モードに切換えられたとき、予め設定した自動撮像開始時刻が到来すると、予め定める時間だけ静止画像または動画像を撮像し、撮像した画像を画像データとしてデータ用メモリ２５に記憶するように構成されているが、本発明の他の実施の形態では、予め自動撮像開始時刻とともに、撮像を終了する時刻を表す自動撮像終了時刻を設定するように構成しても、好適に実施することができる。
【０１９１】
また、前述の実施の形態において、基本モードから自動録音モードに切換えられたとき、予め設定した自動録音開始時刻が到来すると、予め定める時間だけ通信装置１の周囲の音声を録音部３４のマイクロフォンによって入力し、入力した音声を音声データとしてデータ用メモリ２５、または不揮発性の記録媒体であるフラッシュメモリカードに記憶するように構成されているが、本発明の他の実施の形態では、予め自動録音開始時刻とともに、録音を終了する時刻を表す自動録音終了時刻を設定するように構成しても、好適に実施することができる。
【図面の簡単な説明】
【０１９２】
【図１】本発明の実施の一形態である通信装置１の構成を示すブロック図である。
【図２】通信装置１の外観を示す正面図である。
【図３】基本モードからマナーモードに切換えるときの表示部２８の表示画面に表示される表示情報の一例を示す図である。
【図４】マナーモードから基本モードに切換えるときの表示部２８の表示画面に表示される表示情報の一例を示す図である。
【図５】基本モードからマナーモードへ切換えるとともに、マナーモードから基本モードへ切換える時刻を設定するときの表示部２８の表示画面に表示される表示情報の一例を示す図である。
【図６】現在日時を設定していないときに、マナーモードから基本モードへ切換える時刻を設定するときの表示部２８の表示画面に表示される表示情報の一例を示す図である。
【図７】マナーモードから基本モードへ切換える時刻を誤入力したときの表示部２８の表示画面に表示される表示情報の一例を示す図である。
【図８】基本モードからマナーモードへの切換え設定およびマナーモードから基本モードへ切換える時刻の設定に関する制御部２１処理手順を示すフローチャートである。
【図９】マナーモードおよびマナーモード解除時刻が設定されているときに、マナーモードから基本モードへ切換える時刻を設定するときの表示部２８の表示画面に表示される表示情報の一例を示す図である。
【図１０】マナーモードに設定されているとき、マナーモードから基本モードへ切換える時刻の設定に関する制御部２１処理手順を示すフローチャートである。
【図１１】アプリケーションプログラムが実行されていない状態で、予め設定した解除時刻が到来したときにマナーモードから基本モードに切換えられるときの表示部２８の表示画面に表示される表示情報の一例を示す図である。
【図１２】アプリケーションプログラムが実行されている状態で、予め設定した解除時刻が到来したときにマナーモードから基本モードに切換えられるときの表示部２８の表示画面に表示される表示情報の一例を示す図である。
【図１３】通信装置本体への電力の供給が停止されている状態で、予め設定した解除時刻が到来したときにマナーモードから基本モードに切換えられるときの表示部２８の表示画面に表示される表示情報の一例を示す図である。
【図１４】マナーモードから基本モードに切換えるときの制御部２１の処理手順を示すフローチャートである。
【図１５】基本モードからドライブモードへの切換え設定およびドライブモードから基本モードへ切換える時刻の設定に関する制御部２１の処理手順を示すフローチャートである。
【図１６】ドライブモードに設定されているとき、ドライブモードから基本モードへ切換える時刻の設定に関する制御部２１処理手順を示すフローチャートである。
【図１７】ドライブモードから基本モードに切換えるときの制御部２１の処理手順を示すフローチャートである。
【図１８】電力供給モードから電力供給停止モードへの切換え設定および電力供給停止モードから電力供給モードへ切換える時刻の設定に関する制御部２１の処理手順を示すフローチャートである。
【図１９】電力供給停止モードから電力供給モードに切換えるときの制御部２１の処理手順を示すフローチャートである。
【図２０】基本モードから自動撮像モードへの切換え設定および基本モードから自動撮像モードへ切換える時刻の設定に関する制御部２１の処理手順を示すフローチャートである。
【０１９３】
【図２１】基本モードから自動撮像モードに切換えるときの制御部２１の処理手順を示すフローチャートである。
【図２２】基本モードから自動録音モードへの切換え設定および基本モードから自動録音モードへ切換える時刻の設定に関する制御部２１の処理手順を示すフローチャートである。
【図２３】基本モードから自動録音モードに切換えるときの制御部２１の処理手順を示すフローチャートである。
【符号の説明】
【０１９４】
１  通信装置
１１  アンテナ
１２  無線部
１３  通信制御部
１４  キー入力部
１５  キー照明部
１６  音声入力部
１７  音声出力部
１８  計時部
１９  計時用メモリ
２０  電源部
２１  制御部
２２  電源制御部
２３  プログラム用メモリ
２４  作業用メモリ
２５  データ用メモリ
２６  表示用メモリ
２７  表示ドライバ部
２８  表示部
２９  発光部
３０  照明部
３１  撮像部
３２  振動発生部
３３  開閉検出部
３４  録音部
【図１】
2005277466.tif 000003
【図２】
2005277466.tif 000004
【図３】
2005277466.tif 000005
【図４】
2005277466.tif 000006
【図５】
2005277466.tif 000007
【図６】
2005277466.tif 000008
【図７】
2005277466.tif 000009
【図８】
2005277466.tif 000010
【図９】
2005277466.tif 000011
【図１０】
2005277466.tif 000012
【図１１】
2005277466.tif 000013
【図１２】
2005277466.tif 000014
【図１３】
2005277466.tif 000015
【図１４】
2005277466.tif 000016
【図１５】
2005277466.tif 000017
【図１６】
2005277466.tif 000018
【図１７】
2005277466.tif 000019
【図１８】
2005277466.tif 000020
【図１９】
2005277466.tif 000021
【図２０】
2005277466.tif 000022
【図２１】
2005277466.tif 000023
【図２２】
2005277466.tif 000024
【図２３】
2005277466.tif 000025